(57)【要約】【課題】化粧材の端部同士の接合を目立たなくして、意匠性を向上させることができる化粧板を提供すること。【解決手段】化粧板１００によれば、化粧材１３０の端部Ｙが接合面形成溝１３４の内側へ向けて折り曲げられ、傾斜面１２４に対応して傾斜する接合面１３５が形成される。そして、傾斜面１２４と接合面１３５とが重ね合わされると共に傾斜面１２４と接合面１３５との間に化粧層１３１を介して化粧材１２０の端部Ｘと化粧材１３０の端部Ｙとが接合される。よって、化粧材１２０，１３０の端部同士の接合部に隙間が生じるのを防止できると共に、例えば、湿気や温度変化により化粧材１３０の端部Ｙが収縮した場合でも、化粧層１３１を露出させて、基材層１３２が露出するのを防止することができる。これにより、端部同士の接合を目立たなくして、化粧板１００の意匠性を向上させることができる。【選択図】図４
2010007433.tif 000002
【特許請求の範囲】
【請求項１】
骨格を形成する芯材と、その芯材の外面に貼付される化粧材とを備え、ドアのパネル又は箱物家具の外板や棚板として使用される化粧板において、
前記化粧材は、
表面を化粧する化粧層と、
その化粧層に積層される基材層とを備え、
その基材層が前記芯材に貼付されると共に端部同士が接合され、
前記端部の一方には、前記芯材の外面に対して傾斜する傾斜面が形成されると共に、
前記端部の他方には、前記化粧層を有し前記傾斜面に対応して傾斜する接合面が形成され、
前記傾斜面と接合面とが重ね合わされると共に前記傾斜面と接合面との間に前記化粧層を介して前記化粧材の端部同士が接合されるように構成されていることを特徴とする化粧板。
【請求項２】
前記端部の他方には、前記基材層をＶ字状に凹欠して形成される接合面形成溝が凹設され、
その接合面形成溝の内側へ向けて前記端部の他方を折り曲げることで前記接合面が形成されるように構成されていることを特徴とする請求項１記載の化粧板。
【請求項３】
前記芯材の外面には、前記接合面形成溝の内側へ向けて折り曲げられた前記端部の他方を収容可能に形成される収容溝が凹設され、
前記化粧材の端部同士が接合された状態において前記端部の他方が前記収容溝内に収容されるように構成されていることを特徴とする請求項２記載の化粧板。
【請求項４】
前記端部の他方の縁は、前記接合面形成溝が形成される前記基材層の一面に対して直角に形成されていることを特徴とする請求項２又は３に記載の化粧板。
【請求項５】
前記端部の一方には、前記基材層をＶ字状に凹欠して形成される傾斜面形成溝が凹設され、
その傾斜面形成溝の内側へ向けて前記端部の一方が折り曲げられることで前記傾斜面が形成されるように構成されていることを特徴とする請求項１から４のいずれかに記載の化粧板。
【請求項６】
前記芯材の端面において前記化粧材の端部同士が接合されていることを特徴とする請求項１から５のいずれかに記載の化粧板。
【請求項７】
前記芯材の角部において前記化粧材の端部同士が接合されていることを特徴とする請求項１から５のいずれかに記載の化粧板。
【発明の詳細な説明】
【技術分野】
【０００１】
本発明は、骨格を形成する芯材と、その芯材の外面に貼付される化粧材とを備え、ドアのパネル又は箱物家具の外板や棚板として使用される化粧板に関し、特に、化粧材の端部同士の接合を目立たなくして、意匠性を向上させることができる化粧板に関するものである。
【背景技術】
【０００２】
従来より、ドア（開戸、引戸、吊戸および折戸など）のパネル又は箱物家具（棚、箪笥、下駄箱および台所キャビネットなど）の外板や棚板は、一般に、芯材の外面に化粧材を貼付した化粧板が使用されている。
【０００３】
この種の化粧板として、例えば、特許文献１には、芯材の外面に凹溝を設け、その凹溝に化粧面板（化粧材）の両端部を直角に折り曲げて差し込むと共に、折り曲げた部位を突き当てて端部同士を接合した化粧板が開示されている。
【特許文献１】特開２００６−２４１７５５号公報
【発明の開示】
【発明が解決しようとする課題】
【０００４】
しかしながら、上述した特許文献１に開示される化粧板では、単に折り曲げた部位を突き当てて化粧材の端部同士が接合されているため、端部同士の接合部に隙間が生じ易いうえ、端部同士の接合が目立ち易く、意匠性に劣るという問題点があった。
【０００５】
本発明は、上述した問題点を解決するためになされたものであり、骨格を形成する芯材と、その芯材の外面に貼付される化粧材とを備え、ドアのパネル又は箱物家具の外板や棚板として使用される化粧板に関し、化粧材の端部同士の接合を目立たなくして、意匠性を向上させることができる化粧板を提供することを目的としている。
【課題を解決するための手段】
【０００６】
この目的を達成するために、請求項１記載の化粧板は、骨格を形成する芯材と、その芯材の外面に貼付される化粧材とを備え、ドアのパネル又は箱物家具の外板や棚板として使用されるものであり、前記化粧材は、表面を化粧する化粧層と、その化粧層に積層される基材層とを備え、その基材層が前記芯材に貼付されると共に端部同士が接合され、前記端部の一方には、前記芯材の外面に対して傾斜する傾斜面が形成されると共に、前記端部の他方には、前記化粧層を有し前記傾斜面に対応して傾斜する接合面が形成され、前記傾斜面と接合面とが重ね合わされると共に前記傾斜面と接合面との間に前記化粧層を介して前記化粧材の端部同士が接合されるように構成されている。
【０００７】
請求項２記載の化粧板は、請求項１記載の化粧板において、前記端部の他方には、前記基材層をＶ字状に凹欠して形成される接合面形成溝が凹設され、その接合面形成溝の内側へ向けて前記端部の他方を折り曲げることで前記接合面が形成されるように構成されている。
【０００８】
請求項３記載の化粧板は、請求項２記載の化粧板において、前記芯材の外面には、前記接合面形成溝の内側へ向けて折り曲げられた前記端部の他方を収容可能に形成される収容溝が凹設され、前記化粧材の端部同士が接合された状態において前記端部の他方が前記収容溝内に収容されるように構成されている。
【０００９】
請求項４記載の化粧板は、請求項２又は３に記載の化粧板において、前記端部の他方の縁は、前記接合面形成溝が形成される前記基材層の一面に対して直角に形成されている。
【００１０】
請求項５記載の化粧板は、請求項１から４のいずれかに記載の化粧板において、前記端部の一方には、前記基材層をＶ字状に凹欠して形成される傾斜面形成溝が凹設され、その傾斜面形成溝の内側へ向けて前記端部の一方が折り曲げられることで前記傾斜面が形成されるように構成されている。
【００１１】
請求項６記載の化粧板は、請求項１から５のいずれかに記載の化粧板において、前記芯材の端面において前記化粧材の端部同士が接合されている。
【００１２】
請求項７記載の化粧板は、請求項１から５のいずれかに記載の化粧板において、前記芯材の角部において前記化粧材の端部同士が接合されている。
【発明の効果】
【００１３】
請求項１記載の化粧板によれば、化粧材は、表面を化粧する化粧層に基材層が積層され、その基材層が芯材に貼付されると共に端部同士が接合される。また、化粧材の端部の一方には芯材の外面に対して傾斜する傾斜面が形成されると共に、端部の他方には化粧層を有し傾斜面に対応して傾斜する接合面が形成され、それら傾斜面と接合面とが重ね合わされると共に傾斜面と接合面との間に化粧層を介して化粧材の端部同士が接合される。
【００１４】
このように、化粧材の端部同士を重ね合わせて接合するので、端部同士の接合部に隙間が生じるのを防止することができる。また、化粧層を介して端部同士を接合するので、例えば、湿気や温度変化により化粧材の端部が収縮した場合でも、化粧層を露出させて、基材層が露出するのを防止することができる。これにより、化粧材の端部同士の接合を目立たなくして、化粧板の意匠性を向上させることができるという効果がある。
【００１５】
請求項２記載の化粧板によれば、請求項１記載の化粧板の奏する効果に加え、化粧材の端部の他方には、基材層をＶ字状に凹欠して形成される接合面形成溝が凹設され、その接合面形成溝の内側へ向けて化粧材の端部の他方を折り曲げることで接合面が形成されるように構成されているので、予め化粧層に基材層が積層された化粧材に接合面を形成することができる。よって、接合面を容易に形成することができるという効果がある。
【００１６】
即ち、化粧層を有し傾斜面に対応して傾斜する接合面を化粧材に形成する方法としては、本発明のように化粧材を折り曲げて形成する方法とは別に、化粧材に加工を施して接合面を形成する方法がある。しかしながら、化粧材に加工を施して接合面を形成する方法では、基材層を加工した後、加工した基材層に化粧層を積層しなければならないので、作業が複雑化する。また、加工した基材層に化粧層を積層しなければならないので、加工前の基材層に化粧層を積層する場合と比較して、作業が困難となる。
【００１７】
これに対し、本発明によれば、化粧材を折り曲げて接合面を形成するので、予め化粧層に基材層が積層された化粧材に接合面を形成することができ、接合面を容易に形成することができる。
【００１８】
また、現在では、予め化粧層に基材層が積層された化粧材は、一般市場において容易かつ低コストで入手することができる。よって、予め化粧層に基材層が積層された化粧材に接合面を形成することができれば、化粧板を容易かつ低コストで製造することができるという効果がある。
【００１９】
請求項３記載の化粧板によれば、請求項２記載の化粧板の奏する効果に加え、芯材の外面には、接合面形成溝の内側へ向けて折り曲げられた化粧材の端部の他方を収容可能に形成される収容溝が凹設され、化粧材の端部同士が接合された状態において化粧材の端部の他方が収容溝内に収容されるように構成されているので、化粧材の端部を大きく残存させることができる。よって、接合面形成溝を容易に形成することができるという効果がある。
【００２０】
即ち、芯材の外面に収容溝を備えていない場合には、接合面形成溝の内側へ向けて折り曲げられた化粧材の端部を芯材の外面と傾斜面との間に収容しなければならないので、収容溝を備えている場合と比較して、化粧材の端部を小さく（例えば、端部の厚みを薄く）する必要がある。このため、化粧材の端部が小さくなる分、接合面形成溝の形成が困難となる。
【００２１】
これに対し、本発明によれば、化粧材の端部を収容溝内に収容するので、化粧材の端部を大きく（例えば、端部の厚みを厚く）残存させることができ、接合面形成溝を容易に形成することができる。
【００２２】
請求項４記載の化粧板によれば、請求項２又は３に記載の化粧板の奏する効果に加え、化粧材の端部の他方の縁は、接合面形成溝が形成される基材層の一面に対して直角に形成されているので、化粧材に接合面形成溝を形成する場合に、端部の縁を利用して化粧材を位置決めしつつ接合面形成溝を加工することができる。よって、接合面形成溝を精度良く形成することができるという効果がある。
【００２３】
請求項５記載の化粧板によれば、請求項１から４のいずれかに記載の化粧板の奏する効果に加え、化粧材の端部の一方には、基材層をＶ字状に凹欠して形成される傾斜面形成溝が凹設され、その傾斜面形成溝の内側へ向けて化粧材の端部の一方を折り曲げることで傾斜面が形成されるように構成されているので、傾斜面において化粧層と基材層との間から水気が侵入するのを防止することができる。よって、化粧層と基材層とが剥離するのを予防することができるという効果がある。
【００２４】
また、化粧材を折り曲げて傾斜面を形成するので、予め化粧層に基材層が積層された化粧材に傾斜面を形成することができ、傾斜面を容易に形成できると共に、化粧板を容易かつ低コストで製造することができるという効果がある。
【００２５】
請求項６記載の化粧板によれば、請求項１から５のいずれかに記載の化粧板の奏する効果に加え、芯材の側面において化粧材の端部同士が接合されているので、ドアのパネルとして使用される場合には、化粧材の端部同士の接合部をドアの木口面に配置することができる。よって、化粧材の端部同士の接合部を目立ち難くして、ドアの意匠性を向上させることができるという効果がある。
【００２６】
請求項７記載の化粧板によれば、請求項１から５のいずれかに記載の化粧板の奏する効果に加え、芯材の角部において化粧材の端部同士が接合されているので、箱物家具の外板や棚板として使用される場合には、化粧材の端部同士の接合部を外板や棚板の角部に配置することができる。よって、化粧材の端部同士の接合部を目立ち難くして、箱物家具の意匠性を向上させることができるという効果がある。
【発明を実施するための最良の形態】
【００２７】
以下、本発明の好ましい実施の形態について、添付図面を参照して説明する。まず、図１を参照して、本発明の化粧板が使用される用途について説明する。図１は、本発明の化粧板が使用される用途を示す図である。
【００２８】
図１（ａ）から（ｃ）は、本発明の化粧板をドア１０のパネル１として使用したものであり、図１（ａ）はドア１０を開戸として、図１（ｂ）はドア１０を引戸または吊戸として、図１（ｃ）はドア１０を折戸として、それぞれ構成したものである。
【００２９】
また、図１（ｄ）から（ｇ）は、本発明の化粧板を箱物家具２０の外板２や棚板３として使用したものであり、図１（ｄ）は箱物家具２０を棚として、図１（ｅ）は箱物家具２０を箪笥として、図１（ｆ）は箱物家具２０を下駄箱として、図１（ｇ）は箱物家具２０を台所キャビネットとして、それぞれ構成したものである。
【００３０】
次いで、図２及び図３を参照して、第１実施の形態について説明する。図２（ａ）は、第１実施の形態における化粧板１００の斜視図であり、図２（ｂ）は、芯材１１０の斜視図である。
【００３１】
図２（ａ）に示すように、第１実施の形態における化粧板１００は、骨格を形成する芯材１１０と、その芯材１１０の外面に接着剤などにより貼付される２枚の化粧材１２０，１３０とを備えて構成されている。また、２枚の化粧材１２０，１３０は、化粧材１２０の端部Ｘと化粧材１３０の端部Ｙとが芯材１１０の端面（図２（ａ）左側および右側）において接合されている。なお、化粧材１２０の端部Ｘと化粧材１３０の端部Ｙとの接合方法および接合状態については、図４を参照して後述する。
【００３２】
図２（ｂ）に示すように、芯材１１０は、木材などを梯子状に組み合わせた中空状のフラッシュ構造として構成されている。なお、芯材１１０はフラッシュ構造として構成されるものに限られず、例えば、無垢材、合板または木質ボード等により中実状に構成しても良く、或いは、ハニカムボード等によりハニカムコア構造として構成しても良い。また、芯材１１０の材質は木材に限られず、例えば、樹脂材料または金属材料などでも良い。
【００３３】
次いで、図３を参照して、化粧材１２０，１３０の詳細構成について説明する。図３（ａ）は、図２（ａ）の矢印ＩＩＩ方向視における化粧材１２０の正面図であり、図３（ｂ）は、図２（ａ）の矢印ＩＩＩ方向視における化粧材１３０の正面図である。
【００３４】
図３（ａ）に示すように、化粧材１２０は、化粧層１２１と、その化粧層１２１に積層される基材層１２２とを備えて構成され、接着剤などにより化粧層１２１が基材層１２２に貼付されている。
【００３５】
なお、化粧材１２０は化粧層１２１と基材層１２２との二層構造として構成されるものに限られず、更に紙シート等を積層した複数層構造として構成しても良い。また、化粧材１２０の表面（図３（ａ）下側）は平面状に限られず、例えば、化粧材１２０の表面に溝などを加工して模様を施しても良い。
【００３６】
化粧層１２１は、化粧材１２０の表面を化粧するものであり、可撓性を有する合成樹脂フィルム又は木材を薄くスライスした化粧単板などにより構成されている。また、基材層１２２は、化粧材１２０の基材となり芯材１１０に貼付されるものであり、ベニヤ又は木質繊維板などにより構成されている。
【００３７】
化粧材１２０の裏面（図３（ａ）上側）には、基材層１２２を略Ｖ字状に凹欠して形成される折曲溝１２３が複数（本実施の形態では、２個）凹設されている。この折曲溝１２３は、内角αが略９０°とされ、折曲溝１２３の内側へ向けて化粧材１２０を折り曲げることで、化粧材１２０を芯材１１０の角部に対応して貼付できるように構成されている。
【００３８】
なお、折曲溝１２３の内角αは略９０°に限られず、芯材１１０の外面形状に応じて鋭角または鈍角に変更することで、化粧材１２０を芯材１１０の様々な外面形状に対応して貼付することができる。また、例えば、折曲溝１２３を２つ連設することで、化粧板１００の角部に面取りを設けたり、或いは、折曲溝１２３を３つ以上連設することで、化粧板１００の角部にＲを設ける（角部を曲面とする）ことができる。
【００３９】
また、化粧材１２０の端部Ｘには、化粧材１２０の裏面から表面へ向かうに連れて外側へ傾斜する傾斜面１２４が形成されている。この傾斜面１２４は、傾斜角βが略４５°とされ、化粧材１２０が芯材１１０に貼付された状態において芯材１１０の外面に対して傾斜すると共に後述する接合面１３５（図４（ｂ）参照）と当接するように構成されている。なお、傾斜角βは略４５°に限られず、他の角度でも良い。
【００４０】
図３（ｂ）に示すように、化粧材１３０は、化粧層１３１と、その化粧層１３１に積層される基材層１３２とを備えて構成され、接着剤などにより化粧層１３１が基材層１３２に貼付されている。
【００４１】
なお、化粧材１３０は化粧層１３１と基材層１３２との二層構造として構成されるものに限られず、更に紙シート等を積層した複数層構造として構成しても良い。また、化粧材１３０の表面（図３（ｂ）上側）は平面状に限られず、例えば、化粧材１３０の表面に溝などを加工して模様を施しても良い。
【００４２】
化粧層１３１は、化粧材１３０の表面を化粧するものであり、可撓性を有する合成樹脂フィルム又は木材を薄くスライスした化粧単板などにより構成されている。また、基材層１３２は、化粧材１３０の基材となり芯材１１０に貼付されるものであり、ベニヤ又は木質繊維板などにより構成されている。
【００４３】
化粧材１３０の裏面（図２（ｂ）下側）には、基材層１３２を略Ｖ字状に凹欠して形成される折曲溝１３３が複数（本実施の形態では、２個）凹設されている。この折曲溝１３３は、内角γが略９０°とされ、折曲溝１３３の内側へ向けて化粧材１３０を折り曲げることで、化粧材１３０を芯材１１０の角部に対応して貼付できるように構成されている。
【００４４】
なお、折曲溝１３３の内角γは略９０°に限られず、芯材１１０の外面形状に応じて鋭角または鈍角に変更することで、化粧材１３０を芯材１１０の様々な外面形状に対応して貼付することができる。また、例えば、折曲溝１３３を２つ連設することで、化粧板１００の角部に面取りを設けたり、或いは、折曲溝１３３を３つ以上連設することで、化粧板１００の角部にＲを設ける（角部を曲面とする）ことができる。
【００４５】
また、化粧材１３０の端部Ｙには、化粧材１３０の裏面に、基材層１３２を略Ｖ字状に凹欠して形成される接合面形成溝１３４が凹設されている。この接合面形成溝１３４は、内角δが傾斜面１２４の傾斜角βと同等とされ、接合面形成溝１３４の内側へ向けて化粧材１３０の端部Ｙを折り曲げることで、傾斜面１２４に対応して傾斜する接合面１３５（図４（ｂ）参照）が形成されるように構成されている。なお、接合面形成溝１３４の内角δは傾斜面１２４の傾斜角βと同等に限られず、傾斜面１２４の傾斜角βより大きくても良い。
【００４６】
更に、化粧材１３０の端部Ｙの縁は、化粧材１３０の裏面から表面へ向かうに連れて外側へ傾斜すると共に、傾斜角θが略４５°とされ、接合面形成溝１３４の内側へ向けて化粧材１３０の端部Ｙを折り曲げた場合に、端部Ｙが化粧材１３０の裏面から突出しないように他の領域（両端部Ｙ間の範囲）より薄く構成されている。なお、傾斜角θは略４５°に限られず、傾斜角θと接合面形成溝１３４の内角δとの和が９０°以下となれば良い（内角δ＋傾斜角θ≦９０°）。
【００４７】
次いで、図４を参照して、化粧材１２０の端部Ｘと化粧材１３０の端部Ｙとの接合方法および接合状態について説明する。図４（ａ）は、化粧材１２０の端部Ｘと化粧材１３０の端部Ｙとを接合する様子を示す図であり、図４（ｂ）は、化粧材１２０の端部Ｘと化粧材１３０の端部Ｙとを接合した状態を示す図である。なお、図４（ｂ）は、図２（ａ）のＩＶで示す部分を平面視で拡大した化粧板１００の拡大平面図に対応する。
【００４８】
化粧材１２０の端部Ｘと化粧材１３０の端部Ｙとを接合するにあたっては、図４（ａ）に示すように、まず、芯材１１０に化粧材１３０を貼付し、その後、矢印Ｄで示すように化粧材１２０の端部Ｘを化粧材１３０の端部Ｙに被せるようにして、芯材１１０に化粧材１２０を貼付する。
【００４９】
これにより、図４（ｂ）に示すように、化粧材１３０の端部Ｙが接合面形成溝１３４の内側へ向けて折り曲げられ、傾斜面１２４に対応して傾斜する接合面１３５が形成される。そして、それら傾斜面１２４と接合面１３５とが重ね合わされて化粧材１２０の端部Ｘと化粧材１３０の端部Ｙとが接合される。
【００５０】
また、化粧材１３０の端部Ｙが接合面形成溝１３４の内側へ向けて折り曲げられることで接合面１３５が形成されるので、傾斜面１２４と接合面１３５との間に化粧層１３１を介して化粧材１２０の端部Ｘと化粧材１３０の端部Ｙとが接合される。
【００５１】
このように、端部同士を重ね合わせて化粧材１２０の端部Ｘと化粧材１３０の端部Ｙとを接合するので、端部同士の接合部に隙間が生じるのを防止することができる。また、化粧層１３１を介して端部同士を接合するので、例えば、湿気や温度変化により化粧材１２０の端部Ｘ又は化粧材１３０の端部Ｙが収縮した場合でも、化粧層１３１を露出させて、基材層１３２が露出するのを防止することができる。これにより、化粧材１２０の端部Ｘと化粧材１３０の端部Ｙとの接合を目立たなくして、化粧板１００の意匠性を向上させることができる。
【００５２】
また、接合面形成溝１３４の内側へ向けて化粧材１３０の端部Ｙを折り曲げることで接合面１３５が形成されるので、予め化粧層１３１に基材層１３２が積層された化粧材１３０に接合面１３５を形成することができる。よって、接合面１３５を容易に形成できると共に、化粧板１３０を容易かつ低コストで製造することができる。
【００５３】
ここで、図５を参照して、本実施の形態における化粧板１００と、化粧材の端部同士を突き当てて接合した化粧材（以下、「従来の化粧板」と称す。）との相違点について説明する。なお、従来の化粧板は、化粧材の端部を直角に折り曲げ、その折り曲げた部位を突き当てて端部同士を接合したものである。
【００５４】
図５（ａ）は、図４（ｂ）のＶで示す部分を拡大した化粧材１２０の端部Ｘと化粧材１３０の端部Ｙとの接合部の拡大図であり、図５（ｂ）は、従来の化粧板における接合部の拡大図である。なお、図５（ａ）及び（ｂ）では、本実施の形態における化粧板１００と従来の化粧板との相違点を説明するにあたって必要な構成のみに符号を付している。
【００５５】
図５（ｂ）に示すように、従来の化粧板では、化粧材の端部を折り曲げ、その折り曲げた部位を突き当てて端部同士を接合するので、接合部に生じる溝の幅および深さが大きくなり、化粧材の端部同士の接合が目立ち易い。
【００５６】
これに対し、図５（ａ）に示すように、本実施の形態における化粧板１００では、化粧材１３０の端部Ｙは折り曲げられるものの、化粧材１２０の端部Ｘは折り曲げずに端部同士を接合するので、従来の化粧板と比較して、接合部に生じる溝の幅および深さが小さくなり、化粧材の端部同士の接合が目立ち難くなる。
【００５７】
また、化粧材１３０の端部Ｙは折り曲げられるものの、折り曲げられる角度は、傾斜面１２４の傾斜角βと同等であるので（本実施の形態では、略４５°）、化粧材の端部を直角に折り曲げる従来の化粧板と比較して、接合部に生じる溝の幅および深さが更に小さくなり、化粧材の端部同士の接合がより一層目立ち難くなる。
【００５８】
更に、従来の化粧板では、化粧材の端部を折り曲げることで接合部の輪郭が形成されるので、接合部の輪郭が直線状となり難く（例えば、蛇行する）、化粧材の端部同士の接合が目立ち易い。
【００５９】
これに対し、本実施の形態における化粧板１００では、化粧材１２０の端部Ｘの縁により接合部の輪郭が形成されるので、従来の化粧板と比較して、接合部の輪郭が直線状となり、化粧材の端部同士の接合が目立ち難くなる。
【００６０】
図５（ｃ）は、化粧材１３０の端部Ｙの拡大図であり、図５（ｄ）は、図４（ｂ）のＶで示す部分を拡大した化粧材１２０の端部Ｘと化粧材１３０の端部Ｙとの接合部の拡大図である。また、図５（ｅ）は、従来の化粧板における化粧材の端部の拡大図であり、図５（ｆ）は、従来の化粧板における接合部の拡大図である。なお、図５（ｃ）から（ｆ）では、本実施の形態における化粧板１００と従来の化粧板との相違点を説明するにあたって必要な構成のみに符号を付している。
【００６１】
図５（ｅ）に示すように、従来の化粧板では、本実施の形態における接合面形成溝１３４に相当する溝の深さが加工のばらつき等により化粧層に達してしまうと、図５（ｆ）に示すように、化粧材の端部を折り曲げた場合に、化粧層の折り曲げられる角度が鋭角となるので、かかる溝の深さが化粧層に達していないもの（図５（ｆ）下側）との違いが顕著となり、化粧材の端部同士の接合が目立ち易い。
【００６２】
これに対し、図５（ｃ）に示すように、本実施の形態における化粧板１００では、接合面形成溝１３４の深さが化粧層１３１に達してしまうと、図５（ｄ）に示すように、化粧材１３０の端部Ｙを折り曲げた場合に、化粧層１３１の折り曲げられる角度が鋭角となるが、化粧材１２０の端部Ｘと化粧材１３０の端部Ｙとを重ね合わせて接合するので、化粧材の端部同士の接合が目立ち難くなる。
【００６３】
次いで、図６を参照して、第２実施の形態について説明する。第２実施の形態における化粧板２００は、第１実施の形態における化粧板１００に対し、化粧材１３０の端部Ｙの形状が変更されている。なお、第２実施の形態における化粧板２００を説明するにあたって、第１実施の形態と同一の構成については同一の符号を付して説明を省略する。
【００６４】
図６は、第２実施の形態における化粧板２００を示す図であり、（ａ）は化粧材１２０の端部Ｘと化粧材２３０の端部Ｙとを接合する様子を、（ｂ）は化粧材１２０の端部Ｘと化粧材２３０の端部Ｙとを接合した状態を、それぞれ示している。
【００６５】
第２実施の形態における化粧板２００は、芯材１１０と、その芯材１１０の外面に貼付される２枚の化粧材１２０，２３０とを備えて構成されている。また、２枚の化粧材１２０，２３０は、化粧材１２０の端部Ｘと化粧材２３０の端部Ｙとが芯材１１０の端面において接合されている。
【００６６】
図６（ａ）に示すように、化粧材２３０は、化粧層１３１と、その化粧層１３１に積層される基材層１３２とを備えて構成されている。化粧材２３０の端部Ｙには、化粧材２３０の裏面（図６（ａ）左側）に、接合面形成溝１３４が凹設されている。
【００６７】
また、化粧材２３０の端部Ｙの縁は、化粧材２３０の裏面（接合面形成溝１３４が形成される基材層１３２の一面）に対して直角に形成されると共に、端部Ｙの厚みは、接合面形成溝１３４の内側へ向けて化粧材２３０の端部Ｙが折り曲げられた場合に、化粧材２３０の裏面から突出しないように他の領域（両端部Ｙ間の範囲）より薄く構成されている。
【００６８】
化粧材１２０の端部Ｘと化粧材２３０の端部Ｙとを接合するにあたっては、図６（ａ）に示すように、まず、芯材１１０に化粧材２３０を貼付し、その後、矢印Ｄで示すように化粧材１２０の端部Ｘを化粧材２３０の端部Ｙに被せるようにして、芯材１１０に化粧材１２０を貼付する。
【００６９】
これにより、図６（ｂ）に示すように、化粧材２３０の端部Ｙが接合面形成溝１３４の内側へ向けて折り曲げられ、傾斜面１２４に対応して傾斜する接合面１３５が形成される。そして、それら傾斜面１２４と接合面１３５とが重ね合わされて化粧材１２０の端部Ｘと化粧材２３０の端部Ｙとが接合される。
【００７０】
また、化粧材２３０の端部Ｙが接合面形成溝１３４の内側へ向けて折り曲げられることで接合面１３５が形成されるので、傾斜面１２４と接合面１３５との間に化粧層１３１を介して化粧材１２０の端部Ｘと化粧材２３０の端部Ｙとが接合される。
【００７１】
よって、第１実施の形態における化粧板１００と同様に、化粧材１２０の端部Ｘと化粧材２３０の端部Ｙとの接合を目立たなくして、化粧板２００の意匠性を向上させることができる。
【００７２】
また、第２実施の形態における化粧板２００では、化粧材２３０の端部Ｙの縁が化粧材２３０の裏面（接合面形成溝１３４が形成される基材層１３２の一面）に対して直角に形成されているので、化粧材２３０に接合面形成溝１３４を形成する場合に、端部Ｙの縁を利用して化粧材２３０を位置決めしつつ接合面形成溝１３４を加工することができる。
【００７３】
ここで、図６（ｃ）を参照して、接合面形成溝１３４の加工方法について説明する。図６（ｃ）は、接合面形成溝１３４を加工する様子を示す図である。なお、図６（ｃ）では、接合面形成溝１３４の加工方法を説明するにあたって必要な構成のみに符号を付している。
【００７４】
化粧材２３０に接合面形成溝１３４を形成するにあたっては、図６（ｃ）に示すように、化粧材２３０を工作機械のテーブルＴに載置すると共に化粧材２３０の端部Ｙの縁を工作機械のガイドＧに突き当てて、工具Ｉにより化粧材２３０に接合面形成溝１３４を加工する。
【００７５】
これにより、化粧材２３０が端部Ｙの縁を利用して位置決めされる。よって、端部Ｙの縁に対して直角な化粧材２３０の裏面に接合面形成溝１３４を精度良く加工することができる。
【００７６】
次いで、図７を参照して、第３実施の形態について説明する。第３実施の形態における化粧板３００は、第１実施の形態における化粧板１００に対し、化粧材１２０の端部Ｘの形状が変更されている。なお、第３実施の形態における化粧板３００を説明するにあたって、上記各実施の形態と同一の構成については同一の符号を付して説明を省略する。
【００７７】
図７は、第３実施の形態における化粧板３００を示す図であり、（ａ）は化粧材３２０の端部Ｘの拡大図を、（ｂ）は化粧材３２０の端部Ｘと化粧材１３０の端部Ｙとを接合する様子を、（ｃ）は化粧材３２０の端部Ｘと化粧材１３０の端部Ｙとを接合した状態を、それぞれ示している。
【００７８】
第３実施の形態における化粧板３００は、芯材１１０と、その芯材１１０の外面に貼付される２枚の化粧材３２０，１３０とを備えて構成されている。また、２枚の化粧材３２０，１３０は、化粧材３２０の端部Ｘと化粧材１３０の端部Ｙとが芯材１１０の端面において接合されている。
【００７９】
図７（ａ）に示すように、化粧材３２０は、化粧層１２１と、その化粧層１２１に積層される基材層１２２とを備えて構成されている。化粧材３２０の端部Ｘには、化粧材３２０の裏面（図７（ａ）左側）に、基材層１２２を略Ｖ字状に凹欠して形成される傾斜面形成溝３２５が凹設されている。この傾斜面形成溝３２５は、内角εが１８０°から接合面１３５の傾斜角（本実施の形態では、接合面形成溝１３４の内角δ）を差し引いた値と同等とれ、傾斜面形成溝３２５の内側へ向けて化粧材３２０の端部Ｘを折り曲げることで、傾斜面３２６（図７（ｂ）参照）が形成されるように構成されている。なお、傾斜面形成溝３２５の内角εは１８０°から接合面１３５の傾斜角を差し引いた値と同等に限られず、１８０°から接合面１３５の傾斜角を差し引いた値より大きくても良い。
【００８０】
また、化粧材３２０の端部Ｘの縁は、化粧材３２０の裏面（傾斜面形成溝３２５が形成される基材層１２２の一面）に対して直角に形成されると共に、端部Ｘの厚みは、傾斜面形成溝３２５の内側へ向けて化粧材３２０の端部Ｘが折り曲げられた場合に、化粧材３２０の裏面から突出しないように他の領域（両端部Ｘ間の範囲）より薄く構成されている。
【００８１】
化粧材３２０の端部Ｘと化粧材１３０の端部Ｙとを接合するにあたっては、図７（ｂ）に示すように、まず、芯材１１０に化粧材１３０を貼付すると共に、化粧材３２０の端部Ｘを傾斜面形成溝３２５の内側へ向けて折り曲げて、傾斜面３２６を形成する。その後、矢印Ｄで示すように化粧材３２０の端部Ｘを化粧材１３０の端部Ｙに被せるようにして、芯材１１０に化粧材３２０を貼付する。
【００８２】
これにより、図７（ｃ）に示すように、化粧材１３０の端部Ｙが接合面形成溝１３４の内側へ向けて折り曲げられ、傾斜面３２６に対応して傾斜する接合面１３５が形成される。そして、それら傾斜面３２６と接合面１３５とが重ね合わされて化粧材３２０の端部Ｘと化粧材１３０の端部Ｙとが接合される。
【００８３】
また、化粧材１３０の端部Ｙが接合面形成溝１３４の内側へ向けて折り曲げられることで接合面１３５が形成されるので、傾斜面３２６と接合面１３５との間に化粧層１３１を介して化粧材３２０の端部Ｘと化粧材１３０の端部Ｙとが接合される。
【００８４】
よって、第１実施の形態における化粧板１００と同様に、化粧材３２０の端部Ｘと化粧材１３０の端部Ｙとの接合を目立たなくして、化粧板３００の意匠性を向上させることができる。
【００８５】
また、第３実施の形態における化粧板３００では、傾斜面形成溝３２５の内側へ向けて化粧材３２０の端部Ｘを折り曲げることで傾斜面３２６が形成されるので、傾斜面３２６において化粧層１２１と基材層１２２との間から水気が侵入するのを防止することができる。よって、化粧層１２１と基材層１２２とが剥離するのを予防することができる。
【００８６】
また、化粧材３２０を折り曲げることで傾斜面３２６が形成されるので、予め化粧層１２１に基材層１２２が積層された化粧材３２０に傾斜面３２６を形成することができる。よって、傾斜面３２６を容易に形成できると共に、化粧板３２０を容易かつ低コストで製造することができる。
【００８７】
なお、化粧材３２０の端部Ｘの縁は化粧材３２０の裏面に対して直角に形成されるものに限られず、他の形状でも良い。ここで、図７（ｄ）を参照して、他の形状としての一例について説明する。図７（ｄ）は、化粧材３２０の端部Ｘの拡大図である。
【００８８】
他の形状としては、例えば、図７（ｄ）に示すように、端部Ｘの縁を化粧材３２０の裏面（図７（ｄ）左側）から表面（図７（ｄ）右側）へ向かうに連れて外側（図７（ｄ）上側）へ傾斜させたもの等が例示される。
【００８９】
次いで、図８を参照して、第４実施の形態から第８実施の形態について説明する。まず、図８（ａ）及び（ｂ）を参照して、第４実施の形態について説明する。第４実施の形態における化粧板４００は、第１実施の形態における化粧板１００に対し、芯材１１０の外面形状および化粧材１３０の端部Ｙの形状が変更されている。なお、第４実施の形態における化粧板４００を説明するにあたって、上記各実施の形態と同一の構成については同一の符号を付して説明を省略する。
【００９０】
図８（ａ）及び（ｂ）は、第４実施の形態における化粧板４００を示す図であり、（ａ）は化粧材１２０の端部Ｘと化粧材４３０の端部Ｙとを接合する様子を、（ｂ）は化粧材１２０の端部Ｘと化粧材４３０の端部Ｙとを接合した状態を、それぞれ示している。
【００９１】
第４実施の形態における化粧板４００は、芯材４１０と、その芯材４１０の外面に貼付される２枚の化粧材１２０，４３０とを備えて構成されている。また、２枚の化粧材１２０，４３０は、化粧材１２０の端部Ｘと化粧材４３０の端部Ｙとが芯材４１０の端面において接合されている。
【００９２】
図８（ａ）に示すように、化粧材４３０は、化粧層１３１と、その化粧層１３１に積層される基材層１３２とを備えて構成されている。化粧材４３０の端部Ｙには、化粧材４３０の裏面（図８（ａ）左側）に、接合面形成溝１３４が凹設されている。
【００９３】
また、化粧材４３０の端部Ｙの縁は、化粧材４３０の裏面（接合面形成溝１３４が形成される基材層１３２の一面）に対して直角に形成されると共に、端部Ｙの厚みは、他の領域（両端部Ｙ間の範囲）と同等とされ、化粧材４３０の厚みが一定に構成されている。
【００９４】
芯材４１０の外面には、化粧材１２０の端部Ｘと化粧材４３０の端面Ｙとが接合される端面に、収容溝４１１が凹設されている。この収容溝４１１は、接合面形成溝１３４の内側へ向けて折り曲げられた化粧材４３０の端部Ｙを収容可能に形成されている。なお、収容溝４１１の形状は略矩形状に限られず、接合面形成溝１３４の内側へ向けて折り曲げられた化粧材４３０の端部Ｙを収容可能な形状であれば良い。
【００９５】
化粧材１２０の端部Ｘと化粧材４３０の端部Ｙとを接合するにあたっては、図８（ａ）に示すように、まず、芯材４１０に化粧材４３０を貼付し、その後、矢印Ｄで示すように化粧材１２０の端部Ｘを化粧材４３０の端部Ｙに被せるようにして、芯材４１０に化粧材１２０を貼付する。
【００９６】
これにより、図８（ｂ）に示すように、化粧材４３０の端部Ｙが接合面形成溝１３４の内側へ向けて折り曲げられ、傾斜面１２４に対応して傾斜する接合面１３５が形成される。そして、それら傾斜面１２４と接合面１３５とが重ね合わされて化粧材１２０の端部Ｘと化粧材４３０の端部Ｙとが接合される。この場合、接合面形成溝１３４の内側へ向けて折り曲げられた化粧材４３０の端部Ｙが収容溝４１１内に収容される。
【００９７】
また、化粧材４３０の端部Ｙが接合面形成溝１３４の内側へ向けて折り曲げられることで接合面１３５が形成されるので、傾斜面１２４と接合面１３５との間に化粧層１３１を介して化粧材１２０の端部Ｘと化粧材４３０の端部Ｙとが接合される。
【００９８】
よって、第１実施の形態における化粧板１００と同様に、化粧材１２０の端部Ｘと化粧材４３０の端部Ｙとの接合を目立たなくして、化粧板４００の意匠性を向上させることができる。
【００９９】
また、第４実施の形態における化粧板４００では、接合面形成溝１３４の内側へ向けて折り曲げられた化粧材４３０の端部Ｙが収容溝４１１内に収容されるので、化粧材４３０の端部Ｙを大きく（本実施の形態のように、端部Ｙの厚みを厚く）残存させることができる。よって、接合面形成溝１３４を容易に形成することができる。
【０１００】
次いで、図８（ｃ）及び（ｄ）を参照して、第５実施の形態について説明する。第５実施の形態における化粧板５００は、第４実施の形態における化粧板４００に対し、化粧材４３０の端部Ｙの形状が変更されている。なお、第５実施の形態における化粧板５００を説明するにあたって、上記各実施の形態と同一の構成については同一の符号を付して説明を省略する。
【０１０１】
図８（ｃ）及び（ｃ）は、第５実施の形態における化粧板５００を示す図であり、（ｃ）は化粧材１２０の端部Ｘと化粧材５３０の端部Ｙとを接合する様子を、（ｄ）は化粧材１２０の端部Ｘと化粧材５３０の端部Ｙとを接合した状態を、それぞれ示している。
【０１０２】
第５実施の形態における化粧板５００は、芯材４１０と、その芯材４１０の外面に貼付される２枚の化粧材１２０，５３０とを備えて構成されている。また、２枚の化粧材１２０，５３０は、化粧材１２０の端部Ｘと化粧材５３０の端部Ｙとが芯材４１０の端面において接合されている。
【０１０３】
図８（ｃ）に示すように、化粧材５３０は、化粧層１３１と、その化粧層１３１に積層される基材層１３２とを備えて構成されている。化粧材５３０の端部Ｙには、化粧材５３０の裏面（図８（ｃ）左側）に、接合面形成溝１３４が凹設されている。
【０１０４】
また、化粧材５３０の端部Ｙには、化粧材５３０の裏面であって接合面形成溝１３４より外側（図８（ｃ）下側）に、基材層１２２を略Ｖ字状に凹欠して形成される切欠溝５３６が凹設され、接合面形成溝１３４の内側へ向けて折り曲げられた化粧材５３０の端部Ｙを折り返すことができるように構成されている。なお、切欠溝５３６の形状は略Ｖ字状に限られず、接合面形成溝１３４の内側へ向けて折り曲げられた化粧材５３０の端部Ｙを折り返すことができる形状であれば良い。
【０１０５】
更に、化粧材５３０の端部Ｙの縁は、化粧材５３０の裏面（接合面形成溝１３４が形成される基材層１３２の一面）に対して直角に形成されると共に、端部Ｙの厚みは、他の領域（両端部Ｙ間の範囲）と同等とされ、化粧材５３０の厚みが一定に構成されている。
【０１０６】
化粧材１２０の端部Ｘと化粧材５３０の端部Ｙとを接合するにあたっては、図８（ｃ）に示すように、まず、芯材４１０に化粧材５３０を貼付し、その後、矢印Ｄで示すように化粧材１２０の端部Ｘを化粧材５３０の端部Ｙに被せるようにして、芯材４１０に化粧材１２０を貼付する。
【０１０７】
これにより、図８（ｄ）に示すように、化粧材５３０の端部Ｙが接合面形成溝１３４の内側へ向けて折り曲げられ、傾斜面１２４に対応して傾斜する接合面１３５が形成される。そして、それら傾斜面１２４と接合面１３５とが重ね合わされて化粧材１２０の端部Ｘと化粧材５３０の端部Ｙとが接合される。この場合、接合面形成溝１３４の内側へ向けて折り曲げられた化粧材５３０の端部Ｙが切欠溝５３６により折り返され、収容溝４１１内に収容される。
【０１０８】
また、化粧材５３０の端部Ｙが接合面形成溝１３４の内側へ向けて折り曲げられることで接合面１３５が形成されるので、傾斜面１２４と接合面１３５との間に化粧層１３１を介して化粧材１２０の端部Ｘと化粧材５３０の端部Ｙとが接合される。
【０１０９】
よって、第１実施の形態における化粧板１００と同様に、化粧材１２０の端部Ｘと化粧材５３０の端部Ｙとの接合を目立たなくして、化粧板５００の意匠性を向上させることができる。
【０１１０】
また、第５実施の形態における化粧板５００では、第４実施の形態における化粧板４００と同様に、化粧材５３０の端部Ｙを大きく（本実施の形態のように、端部Ｙの厚みを厚く）残存させて、接合面形成溝１３４を容易に形成することができる。
【０１１１】
次いで、図８（ｅ）及び（ｆ）を参照して、第６実施の形態について説明する。第６実施の形態における化粧板６００は、第５実施の形態における化粧板５００に対し、化粧材５３０の端部Ｙの形状が変更されている。なお、第６実施の形態における化粧板６００を説明するにあたって、上記各実施の形態と同一の構成については同一の符号を付して説明を省略する。
【０１１２】
図８（ｅ）及び（ｆ）は、第６実施の形態における化粧板６００を示す図であり、（ｅ）は化粧材１２０の端部Ｘと化粧材６３０の端部Ｙとを接合する様子を、（ｆ）は化粧材１２０の端部Ｘと化粧材６３０の端部Ｙとを接合した状態を、それぞれ示している。
【０１１３】
第６実施の形態における化粧板６００は、芯材４１０と、その芯材４１０の外面に貼付される２枚の化粧材１２０，６３０とを備えて構成されている。また、２枚の化粧材１２０，６３０は、化粧材１２０の端部Ｘと化粧材６３０の端部Ｙとが芯材４１０の端面において接合されている。
【０１１４】
化粧材６３０は、化粧層１３１と、その化粧層１３１に積層される基材層１３２とを備えて構成されている。化粧材６３０の端部Ｙには、化粧材６３０の裏面（図８（ｅ）左側）に、接合面形成溝１３４及び切欠溝５３６が凹設されている。
【０１１５】
また、化粧材６３０の端部Ｙの縁は、化粧材５３０の裏面から表面（図８（ｅ）右側）へ向かうに連れて外側（図８（ｅ）下側）へ傾斜すると共に、端部Ｙの厚みは、他の領域（両端部Ｙ間の範囲）と同等とされ、化粧材６３０の厚みが一定に構成されている。
【０１１６】
化粧材１２０の端部Ｘと化粧材６３０の端部Ｙとを接合するにあたっては、図８（ｅ）に示すように、まず、芯材４１０に化粧材６３０を貼付し、その後、矢印Ｄで示すように化粧材１２０の端部Ｘを化粧材６３０の端部Ｙに被せるようにして、芯材４１０に化粧材１２０を貼付する。
【０１１７】
これにより、図８（ｆ）に示すように、化粧材６３０の端部Ｙが接合面形成溝１３４の内側へ向けて折り曲げられ、傾斜面１２４に対応して傾斜する接合面１３５が形成される。そして、それら傾斜面１２４と接合面１３５とが重ね合わされて化粧材１２０の端部Ｘと化粧材６３０の端部Ｙとが接合される。この場合、接合面形成溝１３４の内側へ向けて折り曲げられた化粧材６３０の端部Ｙが切欠溝５３６により折り返され、収容溝４１１内に収容される。
【０１１８】
また、化粧材６３０の端部Ｙが接合面形成溝１３４の内側へ向けて折り曲げられることで接合面１３５が形成されるので、傾斜面１２４と接合面１３５との間に化粧層１３１を介して化粧材１２０の端部Ｘと化粧材６３０の端部Ｙとが接合される。
【０１１９】
よって、第１実施の形態における化粧板１００と同様に、化粧材１２０の端部Ｘと化粧材６３０の端部Ｙとの接合を目立たなくして、化粧板６００の意匠性を向上させることができる。
【０１２０】
また、第６実施の形態における化粧板６００では、第４実施の形態における化粧板４００と同様に、化粧材６３０の端部Ｙを大きく（本実施の形態のように、端部Ｙの厚みを厚く）残存させて、接合面形成溝１３４を容易に形成することができる。
【０１２１】
次いで、図８（ｇ）及び（ｈ）を参照して、第７実施の形態について説明する。第７実施の形態における化粧板７００は、第４実施の形態における化粧板４００に対し、化粧材４３０の端部Ｙの形状が変更されている。なお、第７実施の形態における化粧板７００を説明するにあたって、上記各実施の形態と同一の構成については同一の符号を付して説明を省略する。
【０１２２】
図８（ｇ）及び（ｈ）は、第７実施の形態における化粧板７００を示す図であり、（ｇ）は化粧材１２０の端部Ｘと化粧材７３０の端部Ｙとを接合する様子を、（ｈ）は化粧材１２０の端部Ｘと化粧材７３０の端部Ｙとを接合した状態を、それぞれ示している。
【０１２３】
第７実施の形態における化粧板７００は、芯材４１０と、その芯材４１０の外面に貼付される２枚の化粧材１２０，７３０とを備えて構成されている。また、２枚の化粧材１２０，７３０は、化粧材１２０の端部Ｘと化粧材７３０の端部Ｙとが芯材４１０の端面において接合されている。
【０１２４】
図８（ｇ）に示すように、化粧材７３０は、化粧層１３１と、その化粧層１３１に積層される基材層１３２とを備えて構成されている。化粧材７３０の端部Ｙには、化粧材７３０の裏面（図８（ｇ）左側）に、化粧材７３０の裏面から表面（図８（ｇ）右側）へ向かうに連れて内側（図８（ｇ）上側）へ傾斜する接合面形成溝７３４が凹設されている。この接合面形成溝７３４は、傾斜角κが傾斜面１２４の傾斜角βと同等とされ、接合面形成溝７３４の内側へ向けて化粧材７３０の端部Ｙを折り曲げることで、傾斜面１２４に対応して傾斜する接合面１３５（図８（ｈ）参照）が形成されるように構成されている。なお、接合面形成溝７３４の傾斜角κは傾斜面１２４の傾斜角βと同等に限られず、傾斜面１２４の傾斜角βより大きくても良い。
【０１２５】
また、接合面形成溝７３４は、所定の幅を有して形成され、接合面形成溝７３４の内側へ向けて折り曲げられた化粧材７３０の端部Ｙを折り返すことができるように構成されている。
【０１２６】
また、化粧材７３０の端部Ｙの縁は、化粧材７３０の裏面（接合面形成溝７３４が形成される基材層１３２の一面）に対して直角に形成されると共に、端部Ｙの厚みは、他の領域（両端部Ｙ間の範囲）と同等とされ、化粧材７３０の厚みが一定に構成されている。
【０１２７】
化粧材１２０の端部Ｘと化粧材７３０の端部Ｙとを接合するにあたっては、図８（ｇ）に示すように、まず、芯材４１０に化粧材７３０を貼付し、その後、矢印Ｄで示すように化粧材１２０の端部Ｘを化粧材７３０の端部Ｙに被せるようにして、芯材４１０に化粧材１２０を貼付する。
【０１２８】
これにより、図８（ｈ）に示すように、化粧材７３０の端部Ｙが接合面形成溝７３４の内側へ向けて折り曲げられ、傾斜面１２４に対応して傾斜する接合面１３５が形成される。そして、それら傾斜面１２４と接合面１３５とが重ね合わされて化粧材１２０の端部Ｘと化粧材７３０の端部Ｙとが接合される。この場合、接合面形成溝７３４の内側へ向けて折り曲げられた化粧材７３０の端部Ｙが折り返され、収容溝４１１内に収容される。
【０１２９】
また、化粧材７３０の端部Ｙが接合面形成溝７３４の内側へ向けて折り曲げられることで接合面１３５が形成されるので、傾斜面１２４と接合面１３５との間に化粧層１３１を介して化粧材１２０の端部Ｘと化粧材７３０の端部Ｙとが接合される。
【０１３０】
よって、第１実施の形態における化粧板１００と同様に、化粧材１２０の端部Ｘと化粧材７３０の端部Ｙとの接合を目立たなくして、化粧板７００の意匠性を向上させることができる。
【０１３１】
また、第７実施の形態における化粧板７００では、第４実施の形態における化粧板４００と同様に、化粧材７３０の端部Ｙを大きく（本実施の形態のように、端部Ｙの厚みを厚く）残存させて、接合面形成溝７３４を容易に形成することができる。
【０１３２】
次いで、図８（ｉ）及び（ｊ）を参照して、第８実施の形態について説明する。第８実施の形態における化粧板８００は、第７実施の形態における化粧板７００に対し、化粧材７３０の端部Ｙの形状が変更されている。なお、第８実施の形態における化粧板８００を説明するにあたって、上記各実施の形態と同一の構成については同一の符号を付して説明を省略する。
【０１３３】
図８（ｉ）及び（ｊ）は、第８実施の形態における化粧板８００を示す図であり、（ｉ）は化粧材１２０の端部Ｘと化粧材８３０の端部Ｙとを接合する様子を、（ｊ）は化粧材１２０の端部Ｘと化粧材８３０の端部Ｙとを接合した状態を、それぞれ示している。
【０１３４】
第８実施の形態における化粧板８００は、芯材４１０と、その芯材４１０の外面に貼付される２枚の化粧材１２０，８３０とを備えて構成されている。また、２枚の化粧材１２０，８３０は、化粧材１２０の端部Ｘと化粧材８３０の端部Ｙとが芯材４１０の端面において接合されている。
【０１３５】
図８（ｉ）に示すように、化粧材８３０は、化粧層１３１と、その化粧層１３１に積層される基材層１３２とを備えて構成されている。化粧材８３０の端部Ｙには、化粧材８３０の裏面（図８（ｉ）左側）に、接合面形成溝７３４が凹設されている。
【０１３６】
また、化粧材８３０の端部Ｙの縁は、化粧材８３０の裏面から表面（図８（ｉ）右側）へ向かうに連れて外側（図８（ｉ）下側）へ傾斜すると共に、端部Ｙの厚みは、他の領域（両端部Ｙ間の範囲）と同等とされ、化粧材８３０の厚みが一定に構成されている。
【０１３７】
化粧材１２０の端部Ｘと化粧材８３０の端部Ｙとを接合するにあたっては、図８（ｉ）に示すように、まず、芯材４１０に化粧材８３０を貼付し、その後、矢印Ｄで示すように化粧材１２０の端部Ｘを化粧材８３０の端部Ｙに被せるようにして、芯材４１０に化粧材１２０を貼付する。
【０１３８】
これにより、図８（ｊ）に示すように、化粧材８３０の端部Ｙが接合面形成溝７３４の内側へ向けて折り曲げられ、傾斜面１２４に対応して傾斜する接合面１３５が形成される。そして、それら傾斜面１２４と接合面１３５とが重ね合わされて化粧材１２０の端部Ｘと化粧材８３０の端部Ｙとが接合される。この場合、接合面形成溝７３４の内側へ向けて折り曲げられた化粧材８３０の端部Ｙが折り返され、収容溝４１１内に収容される。
【０１３９】
また、化粧材８３０の端部Ｙが接合面形成溝７３４の内側へ向けて折り曲げられることで接合面１３５が形成されるので、傾斜面１２４と接合面１３５との間に化粧層１３１を介して化粧材１２０の端部Ｘと化粧材８３０の端部Ｙとが接合される。
【０１４０】
よって、第１実施の形態における化粧板１００と同様に、化粧材１２０の端部Ｘと化粧材８３０の端部Ｙとの接合を目立たなくして、化粧板８００の意匠性を向上させることができる。
【０１４１】
また、第８実施の形態における化粧板８００では、第４実施の形態における化粧板４００と同様に、化粧材８３０の端部Ｙを大きく（本実施の形態のように、端部Ｙの厚みを厚く）残存させて、接合面形成溝７３４を容易に形成することができる。
【０１４２】
次いで、図９を参照して、第９実施の形態について説明する。なお、第９実施の形態における化粧板９００を説明するにあたって、上記各実施の形態と同一の構成については同一の符号を付して説明を省略する。
【０１４３】
図９（ａ）は、第９実施の形態における化粧板９００の斜視図であり、図９（ｂ）は、図９（ａ）の矢印ＩＸ方向視における化粧材９３０の正面図である。また、図９（ｃ）は、化粧材１２０の端部Ｘと化粧材９３０の端部Ｙとを接合する様子を示す図であり、図９（ｄ）は、化粧材１２０の端部Ｘと化粧材９３０の端部Ｙとを接合した状態を示す図である。なお、図９（ｄ）は、図９（ａ）のＩＸで示す部分を平面視で拡大した化粧板９００の拡大平面図に対応する。
【０１４４】
図９（ａ）に示すように、第９実施の形態における化粧板９００は、芯材１１０と、その芯材１１０の外面に貼付される２枚の化粧材１２０，９３０とを備えて構成されている。また、２枚の化粧材１２０，９３０は、化粧材１２０の端部Ｘと化粧材９３０の端部Ｙとが芯材１１０の角部（図９（ａ）紙面奥側）において接合されている。
【０１４５】
図９（ｂ）に示すように、化粧材９３０は、化粧層１３１と、その化粧層１３１に積層される基材層１３２とを備えて構成されている。化粧材９３０の端部Ｙには、化粧材９３０の裏面（図９（ｂ）下側）に、接合面形成溝１３４が凹設されている。
【０１４６】
また、化粧材９３０の端部Ｙの縁は、化粧材９３０の裏面から表面（図９（ｂ）上側）へ向かうに連れて外側へ傾斜すると共に、端部Ｙの厚みは、接合面形成溝１３４の内側へ向けて化粧材９３０の端部Ｙを折り曲げた場合に、端部Ｙが化粧材９３０の裏面から突出しないように他の領域（両端部Ｙ間の範囲）より薄く構成されている。
【０１４７】
化粧材１２０の端部Ｘと化粧材９３０の端部Ｙとを接合するにあたっては、図９（ｃ）に示すように、まず、芯材１１０に化粧材９３０を貼付し、その後、矢印Ｄで示すように化粧材１２０の端部Ｘを化粧材９３０の端部Ｙに被せるようにして、芯材１１０に化粧材１２０を貼付する。
【０１４８】
これにより、図９（ｄ）に示すように、化粧材９３０の端部Ｙが接合面形成溝１３４の内側へ向けて折り曲げられ、傾斜面１２４に対応して傾斜する接合面１３５が形成される。そして、それら傾斜面１２４と接合面１３５とが重ね合わされて化粧材１２０の端部Ｘと化粧材９３０の端部Ｙとが接合される。
【０１４９】
また、化粧材９３０の端部Ｙが接合面形成溝１３４の内側へ向けて折り曲げられることで接合面１３５が形成されるので、傾斜面１２４と接合面１３５との間に化粧層１３１を介して化粧材１２０の端部Ｘと化粧材９３０の端部Ｙとが接合される。
【０１５０】
よって、第１実施の形態における化粧板１００と同様に、化粧材１２０の端部Ｘと化粧材９３０の端部Ｙとの接合を目立たなくして、化粧板９００の意匠性を向上させることができる。
【０１５１】
また、第９実施の形態における化粧板９００では、化粧板９００の角部において化粧材１２０の端部Ｘと化粧材９３０の端部Ｙとが接合されるので、化粧材１２０の端部Ｘと化粧材９３０の端部Ｙとの接合を更に目立たなくして、化粧板９００の意匠性をより一層向上させることができる。
【０１５２】
次いで、図１０を参照して、第１０実施の形態および第１１実施の形態について説明する。まず、図１０（ａ）から（ｃ）を参照して、第１０実施の形態について説明する。第１０実施の形態における化粧板１０００は、第９実施の形態における化粧板９００に対し、化粧材９３０の端部Ｙの形状が変更されている。なお、第１０実施の形態における化粧板１０００を説明するにあたって、上記各実施の形態と同一の構成については同一の符号を付して説明を省略する。
【０１５３】
図１０（ａ）から（ｃ）は、第１０実施の形態における化粧板１０００を示す図であり、（ａ）は化粧材１０３０の端部Ｙの拡大図を、（ｂ）は化粧材１２０の端部Ｘと化粧材１０３０の端部Ｙとを接合する様子を、（ｃ）は化粧材１２０の端部Ｘと化粧材１０３０の端部Ｙとを接合した状態を、それぞれ示す図である。
【０１５４】
第１０実施の形態における化粧板１０００は、芯材１１０と、その芯材１１０の外面に貼付される２枚の化粧材１２０，１０３０とを備えて構成されている。また、２枚の化粧材１２０，１０３０は、化粧材１２０の端部Ｘと化粧材１０３０の端部Ｙとが芯材１１０の角部において接合されている。
【０１５５】
図１０（ａ）に示すように、化粧材１０３０は、化粧層１３１と、その化粧層１３１に積層される基材層１３２とを備えて構成されている。化粧材１０３０の端部Ｙには、化粧材１０３０の裏面（図１０（ａ）下側）に、接合面形成溝１３４が凹設されている。
【０１５６】
また、化粧材１０３０の端部Ｙには、化粧材１０３０の裏面であって接合面形成溝１３４より内側（図１０（ａ）左側）に、折曲溝１３３が連設されている。更に、化粧材１０３０の端部Ｙの縁は、化粧材１０３０の裏面から表面（図１０（ａ）上側）へ向かうに連れて外側（図１０（ａ）右側）へ傾斜すると共に、端部Ｙの厚みは、接合面形成溝１３４の内側へ向けて化粧材１０３０の端部Ｙを折り曲げた場合に、端部Ｙが芯材１１０と干渉しないように他の領域（両端部Ｙ間の範囲）より薄く構成されている。
【０１５７】
化粧材１２０の端部Ｘと化粧材１０３０の端部Ｙとを接合するにあたっては、図１０（ｂ）に示すように、まず、芯材１１０に化粧材１０３０を貼付すると共に、化粧材１０３０の端部Ｙを折曲溝１３３の内側へ向けて折り曲げる。その後、矢印Ｄで示すように化粧材１２０の端部Ｘを化粧材１０３０の端部Ｙに被せるようにして、芯材１１０に化粧材１２０を貼付する。
【０１５８】
これにより、図１０（ｃ）に示すように、化粧材１０３０の端部Ｙが接合面形成溝１３４の内側へ向けて折り曲げられ、傾斜面１２４に対応して傾斜する接合面１３５が形成される。そして、それら傾斜面１２４と接合面１３５とが重ね合わされて化粧材１２０の端部Ｘと化粧材１０３０の端部Ｙとが接合される。
【０１５９】
また、化粧材１０３０の端部Ｙが接合面形成溝１３４の内側へ向けて折り曲げられることで接合面１３５が形成されるので、傾斜面１２４と接合面１３５との間に化粧層１３１を介して化粧材１２０の端部Ｘと化粧材１０３０の端部Ｙとが接合される。
【０１６０】
よって、第１実施の形態における化粧板１００と同様に、化粧材１２０の端部Ｘと化粧材１０３０の端部Ｙとの接合を目立たなくして、化粧板１０００の意匠性を向上させることができる。
【０１６１】
また、第１０実施の形態における化粧板１０００では、接合面形成溝１３４に折曲溝１３３が連接されているので、化粧板１０００の角部に面取りを設けることができる。
【０１６２】
次いで、図１０（ｄ）から（ｆ）を参照して、第１１実施の形態について説明する。第１１実施の形態における化粧板１１００は、第１０実施の形態における化粧板１０００に対し、化粧材１０３０の端部Ｙの形状が変更されている。なお、第１１実施の形態における化粧板１１００を説明するにあたって、上記各実施の形態と同一の構成については同一の符号を付して説明を省略する。
【０１６３】
図１０（ｄ）から（ｆ）は、第１１実施の形態における化粧板１１００を示す図であり、（ｄ）は化粧材１１３０の端部Ｙの拡大図を、（ｅ）は化粧材１２０の端部Ｘと化粧材１１３０の端部Ｙとを接合する様子を、（ｆ）は化粧材１２０の端部Ｘと化粧材１１３０の端部Ｙとを接合した状態を、それぞれ示す図である。
【０１６４】
第１１実施の形態における化粧板１１００は、芯材１１０と、その芯材１１０の外面に貼付される２枚の化粧材１２０，１１３０とを備えて構成されている。また、２枚の化粧材１２０，１１３０は、化粧材１２０の端部Ｘと化粧材１１３０の端部Ｙとが芯材１１０の角部において接合されている。
【０１６５】
図１０（ｄ）に示すように、化粧材１１３０は、化粧層１３１と、その化粧層１３１に積層される基材層１３２とを備えて構成されている。化粧材１１３０の端部Ｙには、化粧材１１３０の裏面（図１０（ｄ）下側）に、接合面形成溝１３４が凹設されている。
【０１６６】
また、化粧材１１３０の端部Ｙには、化粧材１１３０の裏面であって接合面形成溝１３４より内側（図１０（ｄ）左側）に、４つの折曲溝１３３が連設されている。なお、折曲溝１３３の個数は４つに限られず、３つ以上であれば良い。
【０１６７】
更に、化粧材１１３０の端部Ｙの縁は、化粧材１１３０の裏面から表面（図１０（ｄ）上側）へ向かうに連れて外側（図１０（ｄ）右側）へ傾斜すると共に、端部Ｙの厚みは、接合面形成溝１３４の内側へ向けて化粧材１１３０の端部Ｙを折り曲げた場合に、端部Ｙが芯材１１０と干渉しないように他の領域（両端部Ｙ間の範囲）より薄く構成されている。
【０１６８】
化粧材１２０の端部Ｘと化粧材１１３０の端部Ｙとを接合するにあたっては、図１０（ｅ）に示すように、まず、芯材１１０に化粧材１１３０を貼付すると共に、化粧材１１３０の端部Ｙを折曲溝１３３の内側へ向けて折り曲げる。その後、矢印Ｄで示すように化粧材１２０の端部Ｘを化粧材１１３０の端部Ｙに被せるようにして、芯材１１０に化粧材１２０を貼付する。
【０１６９】
これにより、図１０（ｆ）に示すように、化粧材１１３０の端部Ｙが接合面形成溝１３４の内側へ向けて折り曲げられ、傾斜面１２４に対応して傾斜する接合面１３５が形成される。そして、それら傾斜面１２４と接合面１３５とが重ね合わされて化粧材１２０の端部Ｘと化粧材１１３０の端部Ｙとが接合される。
【０１７０】
また、化粧材１１３０の端部Ｙが接合面形成溝１３４の内側へ向けて折り曲げられることで接合面１３５が形成されるので、傾斜面１２４と接合面１３５との間に化粧層１３１を介して化粧材１２０の端部Ｘと化粧材１１３０の端部Ｙとが接合される。
【０１７１】
よって、第１実施の形態における化粧板１００と同様に、化粧材１２０の端部Ｘと化粧材１１３０の端部Ｙとの接合を目立たなくして、化粧板１１００の意匠性を向上させることができる。
【０１７２】
また、第１１実施の形態における化粧板１１００では、接合面形成溝１３４に４つの折曲溝１３３が連設されているので、化粧板１１００の角部にＲを設ける（角部を曲面とする）ことができる。
【０１７３】
次いで、図１１を参照して、第１２実施の形態から第１４実施の形態について説明する。まず、図１１（ａ）から（ｃ）を参照して、第１２実施の形態について説明する。第１２実施の形態における化粧板１２００は、第９実施の形態における化粧板９００に対し、化粧材９３０の端部Ｙの形状が変更されている。なお、第１２実施の形態における化粧板１２００を説明するにあたって、上記各実施の形態と同一の構成については同一の符号を付して説明を省略する。
【０１７４】
図１１（ａ）から（ｃ）は、第１２実施の形態における化粧板１２００を示す図であり、（ａ）は化粧材１２３０の端部Ｙの拡大図を、（ｂ）は化粧材１２０の端部Ｘと化粧材１２３０の端部Ｙとを接合する様子を、（ｃ）は化粧材１２０の端部Ｘと化粧材１２３０の端部Ｙとを接合した状態を、それぞれ示す図である。
【０１７５】
第１２実施の形態における化粧板１２００は、芯材１１０と、その芯材１１０の外面に貼付される２枚の化粧材１２０，１２３０とを備えて構成されている。また、２枚の化粧材１２０，１２３０は、化粧材１２０の端部Ｘと化粧材１２３０の端部Ｙとが芯材１１０の角部において接合されている。
【０１７６】
図１１（ａ）に示すように、化粧材１２３０は、化粧層１３１と、その化粧層１３１に積層される基材層１３２とを備えて構成されている。化粧材１２３０の端部Ｙには、化粧材１２３０の裏面（図１１（ａ）下側）に、接合面形成溝１３４が凹設されている。
【０１７７】
また、化粧材１２３０の端部Ｙの縁は、化粧材１２３０の裏面（接合面形成溝１３４が形成される基材層１３２の一面）に対して直角に形成されると共に、端部Ｙの厚みは、接合面形成溝１３４の内側へ向けて化粧材１２３０の端部Ｙを折り曲げた場合に、端部Ｙが化粧材１２３０の裏面から突出しないように他の領域（両端部Ｙ間の範囲）より薄く構成されている。
【０１７８】
化粧材１２０の端部Ｘと化粧材１２３０の端部Ｙとを接合するにあたっては、図１１（ｂ）に示すように、まず、芯材１１０に化粧材１２３０を貼付し、その後、矢印Ｄで示すように化粧材１２０の端部Ｘを化粧材１２３０の端部Ｙに被せるようにして、芯材１１０に化粧材１２０を貼付する。
【０１７９】
これにより、図１１（ｃ）に示すように、化粧材１２３０の端部Ｙが接合面形成溝１３４の内側へ向けて折り曲げられ、傾斜面１２４に対応して傾斜する接合面１３５が形成される。そして、それら傾斜面１２４と接合面１３５とが重ね合わされて化粧材１２０の端部Ｘと化粧材１２３０の端部Ｙとが接合される。
【０１８０】
また、化粧材１２３０の端部Ｙが接合面形成溝１３４の内側へ向けて折り曲げられることで接合面１３５が形成されるので、傾斜面１２４と接合面１３５との間に化粧層１３１を介して化粧材１２０の端部Ｘと化粧材１２３０の端部Ｙとが接合される。
【０１８１】
よって、第１実施の形態における化粧板１００と同様に、化粧材１２０の端部Ｘと化粧材１２３０の端部Ｙとの接合を目立たなくして、化粧板１２００の意匠性を向上させることができる。
【０１８２】
また、第１２実施の形態における化粧板１２００では、化粧材１２３０の端部Ｙの縁が化粧材１２３０の裏面（接合面形成溝１３４が形成される基材層１３２の一面）に対して直角に形成されているので、化粧材１２３０に接合面形成溝１３４を形成する場合に、端部Ｙの縁を利用して化粧材１２３０を位置決めしつつ接合面形成溝１３４を加工することができる。よって、接合面形成溝１３４を精度良く加工することができる。
【０１８３】
次いで、図１１（ｄ）から（ｆ）を参照して、第１３実施の形態について説明する。第１３実施の形態における化粧板１３００は、第１２実施の形態における化粧板１２００に対し、化粧材１２３０の端部Ｙの形状が変更されている。なお、第１３実施の形態における化粧板１３００を説明するにあたって、上記各実施の形態と同一の構成については同一の符号を付して説明を省略する。
【０１８４】
図１１（ｄ）から（ｆ）は、第１３実施の形態における化粧板１３００を示す図であり、（ｄ）は化粧材１３３０の端部Ｙの拡大図を、（ｅ）は化粧材１２０の端部Ｘと化粧材１３３０の端部Ｙとを接合する様子を、（ｆ）は化粧材１２０の端部Ｘと化粧材１３３０の端部Ｙとを接合した状態を、それぞれ示す図である。
【０１８５】
第１３実施の形態における化粧板１３００は、芯材１１０と、その芯材１１０の外面に貼付される２枚の化粧材１２０，１３３０とを備えて構成されている。また、２枚の化粧材１２０，１３３０は、化粧材１２０の端部Ｘと化粧材１３３０の端部Ｙとが芯材１１０の角部において接合されている。
【０１８６】
図１１（ｄ）に示すように、化粧材１３３０は、化粧層１３１と、その化粧層１３１に積層される基材層１３２とを備えて構成されている。化粧材１３３０の端部Ｙには、化粧材１３３０の裏面（図１１（ｄ）下側）に、接合面形成溝１３４が凹設されている。
【０１８７】
また、化粧材１３３０の端部Ｙには、化粧材１３３０の裏面であって接合面形成溝１３４より内側（図１１（ｄ）左側）に、折曲溝１３３が連設されている。更に、化粧材１３３０の端部Ｙの縁は、化粧材１３３０の裏面（接合面形成溝１３４が形成される基材層１３２の一面）に対して直角に形成されると共に、端部Ｙの厚みは、接合面形成溝１３４の内側へ向けて化粧材１３３０の端部Ｙを折り曲げた場合に、端部Ｙが芯材１１０と干渉しないように他の領域（両端部Ｙ間の範囲）より薄く構成されている。
【０１８８】
化粧材１２０の端部Ｘと化粧材１３３０の端部Ｙとを接合するにあたっては、図１１（ｅ）に示すように、まず、芯材１１０に化粧材１３３０を貼付すると共に、化粧材１３３０の端部Ｙを折曲溝１３３の内側へ向けて折り曲げる。その後、矢印Ｄで示すように化粧材１２０の端部Ｘを化粧材１３３０の端部Ｙに被せるようにして、芯材１１０に化粧材１２０を貼付する。
【０１８９】
これにより、図１１（ｆ）に示すように、化粧材１３３０の端部Ｙが接合面形成溝１３４の内側へ向けて折り曲げられ、傾斜面１２４に対応して傾斜する接合面１３５が形成される。そして、それら傾斜面１２４と接合面１３５とが重ね合わされて化粧材１２０の端部Ｘと化粧材１３３０の端部Ｙとが接合される。
【０１９０】
また、化粧材１３３０の端部Ｙが接合面形成溝１３４の内側へ向けて折り曲げられることで接合面１３５が形成されるので、傾斜面１２４と接合面１３５との間に化粧層１３１を介して化粧材１２０の端部Ｘと化粧材１３３０の端部Ｙとが接合される。
【０１９１】
よって、第１実施の形態における化粧板１００と同様に、化粧材１２０の端部Ｘと化粧材１３３０の端部Ｙとの接合を目立たなくして、化粧板１３００の意匠性を向上させることができる。
【０１９２】
また、第１３実施の形態における化粧板１３００では、化粧材１３３０の端部Ｙの縁が化粧材１３３０の裏面（接合面形成溝１３４が形成される基材層１３２の一面）に対して直角に形成されているので、化粧材１３３０に接合面形成溝１３４を形成する場合に、端部Ｙの縁を利用して化粧材１３３０を位置決めしつつ接合面形成溝１３４を加工することができる。よって、接合面形成溝１３４を精度良く加工することができる。
【０１９３】
次いで、図１１（ｇ）から（ｉ）を参照して、第１４実施の形態について説明する。第１４実施の形態における化粧板１４００は、第１３実施の形態における化粧板１３００に対し、化粧材１３３０の端部Ｙの形状が変更されている。なお、第１４実施の形態における化粧板１４００を説明するにあたって、上記各実施の形態と同一の構成については同一の符号を付して説明を省略する。
【０１９４】
図１１（ｇ）から（ｉ）は、第１４実施の形態における化粧板１４００を示す図であり、（ｇ）は化粧材１４３０の端部Ｙの拡大図を、（ｈ）は化粧材１２０の端部Ｘと化粧材１４３０の端部Ｙとを接合する様子を、（ｉ）は化粧材１２０の端部Ｘと化粧材１４３０の端部Ｙとを接合した状態を、それぞれ示す図である。
【０１９５】
第１４実施の形態における化粧板１４００は、芯材１１０と、その芯材１１０の外面に貼付される２枚の化粧材１２０，１４３０とを備えて構成されている。また、２枚の化粧材１２０，１４３０は、化粧材１２０の端部Ｘと化粧材１４３０の端部Ｙとが芯材１１０の角部において接合されている。
【０１９６】
図１１（ｇ）に示すように、化粧材１４３０は、化粧層１３１と、その化粧層１３１に積層される基材層１３２とを備えて構成されている。化粧材１４３０の端部Ｙには、化粧材１４３０の裏面（図１１（ｇ）下側）に、接合面形成溝１３４が凹設されている。
【０１９７】
また、化粧材１４３０の端部Ｙには、化粧材１４３０の裏面であって接合面形成溝１３４より内側（図１１（ｇ）左側）に、４つの折曲溝１３３が連設されている。なお、折曲溝１３３の個数は４つに限られず、３つ以上であれば良い。
【０１９８】
更に、化粧材１４３０の端部Ｙの縁は、化粧材１４３０の裏面（接合面形成溝１３４が形成される基材層１３２の一面）に対して直角に形成されると共に、端部Ｙの厚みは、接合面形成溝１３４の内側へ向けて化粧材１４３０の端部Ｙを折り曲げた場合に、端部Ｙが芯材１１０と干渉しないように他の領域（両端部Ｙ間の範囲）より薄く構成されている。
【０１９９】
化粧材１２０の端部Ｘと化粧材１４３０の端部Ｙとを接合するにあたっては、図１１（ｈ）に示すように、まず、芯材１１０に化粧材１４３０を貼付すると共に、化粧材１４３０の端部Ｙを折曲溝１３３の内側へ向けて折り曲げる。その後、矢印Ｄで示すように化粧材１２０の端部Ｘを化粧材１４３０の端部Ｙに被せるようにして、芯材１１０に化粧材１２０を貼付する。
【０２００】
これにより、図１１（ｉ）に示すように、化粧材１４３０の端部Ｙが接合面形成溝１３４の内側へ向けて折り曲げられ、傾斜面１２４に対応して傾斜する接合面１３５が形成される。そして、それら傾斜面１２４と接合面１３５とが重ね合わされて化粧材１２０の端部Ｘと化粧材１４３０の端部Ｙとが接合される。
【０２０１】
また、化粧材１４３０の端部Ｙが接合面形成溝１３４の内側へ向けて折り曲げられることで接合面１３５が形成されるので、傾斜面１２４と接合面１３５との間に化粧層１３１を介して化粧材１２０の端部Ｘと化粧材１４３０の端部Ｙとが接合される。
【０２０２】
よって、第１実施の形態における化粧板１００と同様に、化粧材１２０の端部Ｘと化粧材１４３０の端部Ｙとの接合を目立たなくして、化粧板１４００の意匠性を向上させることができる。
【０２０３】
また、第１４実施の形態における化粧板１４００では、化粧材１４３０の端部Ｙの縁が化粧材１４３０の裏面（接合面形成溝１３４が形成される基材層１３２の一面）に対して直角に形成されているので、化粧材１４３０に接合面形成溝１３４を形成する場合に、端部Ｙの縁を利用して化粧材１４３０を位置決めしつつ接合面形成溝１３４を加工することができる。よって、接合面形成溝１３４を精度良く加工することができる。
【０２０４】
次いで、図１２を参照して、第１５実施の形態から第１７実施の形態について説明する。まず、図１２（ａ）から（ｃ）を参照して、第１５実施の形態について説明する。第１５実施の形態における化粧板１５００は、第９実施の形態における化粧板９００に対し、芯材１１０の外面形状および化粧材９３０の端部Ｙの形状が変更されている。なお、第１５実施の形態における化粧板１５００を説明するにあたって、上記各実施の形態と同一の構成については同一の符号を付して説明を省略する。
【０２０５】
図１２（ａ）から（ｃ）は、第１５実施の形態における化粧板１５００を示す図であり、（ａ）は化粧材１５３０の端部Ｙの拡大図を、（ｂ）は化粧材１２０の端部Ｘと化粧材１５３０の端部Ｙとを接合する様子を、（ｃ）は化粧材１２０の端部Ｘと化粧材１５３０の端部Ｙとを接合した状態を、それぞれ示す図である。
【０２０６】
第１５実施の形態における化粧板１５００は、芯材１５１０と、その芯材１５１０の外面に貼付される２枚の化粧材１２０，１５３０とを備えて構成されている。また、２枚の化粧材１２０，１５３０は、化粧材１２０の端部Ｘと化粧材１５３０の端部Ｙとが芯材１５１０の角部において接合されている。
【０２０７】
図１２（ａ）に示すように、化粧材１５３０は、化粧層１３１と、その化粧層１３１に積層される基材層１３２とを備えて構成されている。化粧材１５３０の端部Ｙには、化粧材１５３０の裏面（図１２（ａ）下側）に、接合面形成溝１３４が凹設されている。
【０２０８】
また、化粧材１５３０の端部Ｙの縁は、化粧材１５３０の裏面から表面（図１２（ａ）上側）へ向かうに連れて外側（図１２（ａ）右側）へ傾斜すると共に、端部Ｙの厚みは、他の領域（両端部Ｙ間の範囲）と同等とされ、化粧材１５３０の厚みが一定に構成されている。
【０２０９】
芯材１５１０の外面には、化粧材１２０の端部Ｘと化粧材１５３０の端面Ｙとが接合される角部に、収容溝１５１１が凹設されている。この収容溝１５１１は、接合面形成溝１３４の内側へ向けて折り曲げられた化粧材１５３０の端部Ｙを収容可能に形成されている。なお、収容溝１５１１の形状は略矩形状に限られず、接合面形成溝１３４の内側へ向けて折り曲げられた化粧材１５３０の端部Ｙを収容可能な形状であれば良い。
【０２１０】
化粧材１２０の端部Ｘと化粧材１５３０の端部Ｙとを接合するにあたっては、図１２（ｂ）に示すように、まず、芯材１５１０に化粧材１５３０を貼付し、その後、矢印Ｄで示すように化粧材１２０の端部Ｘを化粧材１５３０の端部Ｙに被せるようにして、芯材１５１０に化粧材１２０を貼付する。
【０２１１】
これにより、図１２（ｃ）に示すように、化粧材１５３０の端部Ｙが接合面形成溝１３４の内側へ向けて折り曲げられ、傾斜面１２４に対応して傾斜する接合面１３５が形成される。そして、それら傾斜面１２４と接合面１３５とが重ね合わされて化粧材１２０の端部Ｘと化粧材１５３０の端部Ｙとが接合される。この場合、接合面形成溝１３４の内側へ向けて折り曲げられた化粧材１５３０の端部Ｙが収容溝１５１１内に収容される。
【０２１２】
また、化粧材１５３０の端部Ｙが接合面形成溝１３４の内側へ向けて折り曲げられることで接合面１３５が形成されるので、傾斜面１２４と接合面１３５との間に化粧層１３１を介して化粧材１２０の端部Ｘと化粧材１５３０の端部Ｙとが接合される。
【０２１３】
よって、第１実施の形態における化粧板１００と同様に、化粧材１２０の端部Ｘと化粧材１５３０の端部Ｙとの接合を目立たなくして、化粧板１５００の意匠性を向上させることができる。
【０２１４】
また、第１５実施の形態における化粧板１５００では、接合面形成溝１３４の内側へ向けて折り曲げられた化粧材１５３０の端部Ｙが収容溝１５１１内に収容されるので、化粧材１５３０の端部Ｙを大きく（本実施の形態のように、端部Ｙの厚みを厚く）残存させることができる。よって、接合面形成溝１３４を容易に形成することができる。
【０２１５】
次いで、図１２（ｄ）から（ｆ）を参照して、第１６実施の形態について説明する。第１６実施の形態における化粧板１６００は、第１５実施の形態における化粧板１５００に対し、化粧材１５３０の端部Ｙの形状が変更されている。なお、第１６実施の形態における化粧板１６００を説明するにあたって、上記各実施の形態と同一の構成については同一の符号を付して説明を省略する。
【０２１６】
図１２（ｄ）から（ｆ）は、第１６実施の形態における化粧板１６００を示す図であり、（ｄ）は化粧材１６３０の端部Ｙの拡大図を、（ｅ）は化粧材１２０の端部Ｘと化粧材１６３０の端部Ｙとを接合する様子を、（ｆ）は化粧材１２０の端部Ｘと化粧材１６３０の端部Ｙとを接合した状態を、それぞれ示す図である。
【０２１７】
第１６実施の形態における化粧板１６００は、芯材１５１０と、その芯材１５１０の外面に貼付される２枚の化粧材１２０，１６３０とを備えて構成されている。また、２枚の化粧材１２０，１６３０は、化粧材１２０の端部Ｘと化粧材１６３０の端部Ｙとが芯材１５１０の角部において接合されている。
【０２１８】
図１２（ｄ）に示すように、化粧材１６３０は、化粧層１３１と、その化粧層１３１に積層される基材層１３２とを備えて構成されている。化粧材１６３０の端部Ｙには、化粧材１６３０の裏面（図１２（ｄ）下側）に、接合面形成溝１３４が凹設されている。
【０２１９】
また、化粧材１６３０の端部Ｙには、化粧材１６３０の裏面であって接合面形成溝１３４より内側（図１２（ｄ）左側）に、折曲溝１３３が連設されている。更に、化粧材１３３０の端部Ｙの縁は、化粧材１６３０の裏面から表面（図１２（ｄ）上側）へ向かうに連れて外側（図１２（ｄ）右側）へ傾斜すると共に、端部Ｙの厚みは、他の領域（両端部Ｙ間の範囲）と同等とされ、化粧材１６３０の厚みが一定に構成されている。
【０２２０】
化粧材１２０の端部Ｘと化粧材１６３０の端部Ｙとを接合するにあたっては、図１２（ｅ）に示すように、まず、芯材１５１０に化粧材１６３０を貼付すると共に、化粧材１６３０の端部Ｙを折曲溝１３３の内側へ向けて折り曲げる。その後、矢印Ｄで示すように化粧材１２０の端部Ｘを化粧材１６３０の端部Ｙに被せるようにして、芯材１５１０に化粧材１２０を貼付する。
【０２２１】
これにより、図１２（ｆ）に示すように、化粧材１６３０の端部Ｙが接合面形成溝１３４の内側へ向けて折り曲げられ、傾斜面１２４に対応して傾斜する接合面１３５が形成される。そして、それら傾斜面１２４と接合面１３５とが重ね合わされて化粧材１２０の端部Ｘと化粧材１６３０の端部Ｙとが接合される。この場合、接合面形成溝１３４の内側へ向けて折り曲げられた化粧材１６３０の端部Ｙが収容溝１５１１内に収容される。
【０２２２】
また、化粧材１６３０の端部Ｙが接合面形成溝１３４の内側へ向けて折り曲げられることで接合面１３５が形成されるので、傾斜面１２４と接合面１３５との間に化粧層１３１を介して化粧材１２０の端部Ｘと化粧材１６３０の端部Ｙとが接合される。
【０２２３】
よって、第１実施の形態における化粧板１００と同様に、化粧材１２０の端部Ｘと化粧材１６３０の端部Ｙとの接合を目立たなくして、化粧板１６００の意匠性を向上させることができる。
【０２２４】
また、第１６実施の形態における化粧板１６００では、第１５実施の形態における化粧板１５００と同様に、化粧材１６３０の端部Ｙを大きく（本実施の形態のように、端部Ｙの厚みを厚く）残存させて、接合面形成溝１３４を容易に形成することができる。
【０２２５】
次いで、図１２（ｇ）から（ｉ）を参照して、第１７実施の形態について説明する。第１７実施の形態における化粧板１７００は、第１６実施の形態における化粧板１７００に対し、化粧材１６３０の端部Ｙの形状が変更されている。なお、第１７実施の形態における化粧板１７００を説明するにあたって、上記各実施の形態と同一の構成については同一の符号を付して説明を省略する。
【０２２６】
図１２（ｇ）から（ｉ）は、第１７実施の形態における化粧板１７００を示す図であり、（ｇ）は化粧材１７３０の端部Ｙの拡大図を、（ｈ）は化粧材１２０の端部Ｘと化粧材１７３０の端部Ｙとを接合する様子を、（ｉ）は化粧材１２０の端部Ｘと化粧材１７３０の端部Ｙとを接合した状態を、それぞれ示す図である。
【０２２７】
第１７実施の形態における化粧板１７００は、芯材１５１０と、その芯材１５１０の外面に貼付される２枚の化粧材１２０，１７３０とを備えて構成されている。また、２枚の化粧材１２０，１７３０は、化粧材１２０の端部Ｘと化粧材１７３０の端部Ｙとが芯材１５１０の角部において接合されている。
【０２２８】
図１２（ｇ）に示すように、化粧材１７３０は、化粧層１３１と、その化粧層１３１に積層される基材層１３２とを備えて構成されている。化粧材１７３０の端部Ｙには、化粧材１７３０の裏面（図１２（ｇ）下側）に、接合面形成溝１３４が凹設されている。
【０２２９】
また、化粧材１７３０の端部Ｙには、化粧材１７３０の裏面であって接合面形成溝１３４より内側（図１２（ｇ）左側）に、４つの折曲溝１３３が連設されている。なお、折曲溝１３３の個数は４つに限られず、３つ以上であれば良い。
【０２３０】
更に、化粧材１７３０の端部Ｙの縁は、化粧材１７３０の裏面から表面（図１２（ｇ）上側）へ向かうに連れて外側（図１２（ｇ）右側）へ傾斜すると共に、端部Ｙの厚みは、他の領域（両端部Ｙ間の範囲）と同等とされ、化粧材１７３０の厚みが一定に構成されている。
【０２３１】
化粧材１２０の端部Ｘと化粧材１７３０の端部Ｙとを接合するにあたっては、図１２（ｈ）に示すように、まず、芯材１５１０に化粧材１７３０を貼付すると共に、化粧材１７３０の端部Ｙを折曲溝１３３の内側へ向けて折り曲げる。その後、矢印Ｄで示すように化粧材１２０の端部Ｘを化粧材１７３０の端部Ｙに被せるようにして、芯材１５１０に化粧材１２０を貼付する。
【０２３２】
これにより、図１２（ｉ）に示すように、化粧材１７３０の端部Ｙが接合面形成溝１３４の内側へ向けて折り曲げられ、傾斜面１２４に対応して傾斜する接合面１３５が形成される。そして、それら傾斜面１２４と接合面１３５とが重ね合わされて化粧材１２０の端部Ｘと化粧材１７３０の端部Ｙとが接合される。この場合、接合面形成溝１３４の内側へ向けて折り曲げられた化粧材１７３０の端部Ｙが収容溝１５１１内に収容される。
【０２３３】
また、化粧材１７３０の端部Ｙが接合面形成溝１３４の内側へ向けて折り曲げられることで接合面１３５が形成されるので、傾斜面１２４と接合面１３５との間に化粧層１３１を介して化粧材１２０の端部Ｘと化粧材１７３０の端部Ｙとが接合される。
【０２３４】
よって、第１実施の形態における化粧板１００と同様に、化粧材１２０の端部Ｘと化粧材１７３０の端部Ｙとの接合を目立たなくして、化粧板１７００の意匠性を向上させることができる。
【０２３５】
また、第１７実施の形態における化粧板１７００では、第１５実施の形態における化粧板１５００と同様に、化粧材１７３０の端部Ｙを大きく（本実施の形態のように、端部Ｙの厚みを厚く）残存させて、接合面形成溝１３４を容易に形成することができる。
【０２３６】
次いで、図１３を参照して、第１８実施の形態から第２０実施の形態について説明する。まず、図１３（ａ）から（ｃ）を参照して、第１８実施の形態について説明する。第１８実施の形態における化粧板１８００は、第１５実施の形態における化粧板１５００に対し、化粧材１５３０の端部Ｙの形状が変更されている。なお、第１８実施の形態における化粧板１８００を説明するにあたって、上記各実施の形態と同一の構成については同一の符号を付して説明を省略する。
【０２３７】
図１３（ａ）から（ｃ）は、第１８実施の形態における化粧板１８００を示す図であり、（ａ）は化粧材１８３０の端部Ｙの拡大図を、（ｂ）は化粧材１２０の端部Ｘと化粧材１８３０の端部Ｙとを接合する様子を、（ｃ）は化粧材１２０の端部Ｘと化粧材１８３０の端部Ｙとを接合した状態を、それぞれ示す図である。
【０２３８】
第１８実施の形態における化粧板１８００は、芯材１５１０と、その芯材１５１０の外面に貼付される２枚の化粧材１２０，１８３０とを備えて構成されている。また、２枚の化粧材１２０，１８３０は、化粧材１２０の端部Ｘと化粧材１８３０の端部Ｙとが芯材１５１０の角部において接合されている。
【０２３９】
図１３（ａ）に示すように、化粧材１８３０は、化粧層１３１と、その化粧層１３１に積層される基材層１３２とを備えて構成されている。化粧材１８３０の端部Ｙには、化粧材１８３０の裏面（図１３（ａ）下側）に、接合面形成溝１３４が凹設されている。
【０２４０】
また、化粧材１８３０の端部Ｙの縁は、化粧材１８３０の裏面（接合面形成溝１３４が形成される基材層１３２の一面）に対して直角に形成されると共に、端部Ｙの厚みは、他の領域（両端部Ｙ間の範囲）と同等とされ、化粧材１８３０の厚みが一定に構成されている。
【０２４１】
化粧材１２０の端部Ｘと化粧材１８３０の端部Ｙとを接合するにあたっては、図１３（ｂ）に示すように、まず、芯材１５１０に化粧材１８３０を貼付し、その後、矢印Ｄで示すように化粧材１２０の端部Ｘを化粧材１８３０の端部Ｙに被せるようにして、芯材１５１０に化粧材１２０を貼付する。
【０２４２】
これにより、図１３（ｃ）に示すように、化粧材１８３０の端部Ｙが接合面形成溝１３４の内側へ向けて折り曲げられ、傾斜面１２４に対応して傾斜する接合面１３５が形成される。そして、それら傾斜面１２４と接合面１３５とが重ね合わされて化粧材１２０の端部Ｘと化粧材１８３０の端部Ｙとが接合される。この場合、接合面形成溝１３４の内側へ向けて折り曲げられた化粧材１８３０の端部Ｙが収容溝１５１１内に収容される。
【０２４３】
また、化粧材１８３０の端部Ｙが接合面形成溝１３４の内側へ向けて折り曲げられることで接合面１３５が形成されるので、傾斜面１２４と接合面１３５との間に化粧層１３１を介して化粧材１２０の端部Ｘと化粧材１８３０の端部Ｙとが接合される。
【０２４４】
よって、第１実施の形態における化粧板１００と同様に、化粧材１２０の端部Ｘと化粧材１８３０の端部Ｙとの接合を目立たなくして、化粧板１８００の意匠性を向上させることができる。
【０２４５】
また、第１８実施の形態における化粧板１８００では、第２実施の形態における化粧板２００と同様に、端部Ｙの縁を利用して化粧材１８３０を位置決めしつつ接合面形成溝１３４を加工して、接合面形成溝１３４を精度良く加工することができる。
【０２４６】
次いで、図１３（ｄ）から（ｆ）を参照して、第１９実施の形態について説明する。第１９実施の形態における化粧板１９００は、第１６実施の形態における化粧板１６００に対し、化粧材１６３０の端部Ｙの形状が変更されている。なお、第１９実施の形態における化粧板１９００を説明するにあたって、上記各実施の形態と同一の構成については同一の符号を付して説明を省略する。
【０２４７】
図１３（ｄ）から（ｆ）は、第１９実施の形態における化粧板１９００を示す図であり、（ｄ）は化粧材１９３０の端部Ｙの拡大図を、（ｅ）は化粧材１２０の端部Ｘと化粧材１９３０の端部Ｙとを接合する様子を、（ｆ）は化粧材１２０の端部Ｘと化粧材１９３０の端部Ｙとを接合した状態を、それぞれ示す図である。
【０２４８】
第１９実施の形態における化粧板１９００は、芯材１５１０と、その芯材１５１０の外面に貼付される２枚の化粧材１２０，１９３０とを備えて構成されている。また、２枚の化粧材１２０，１９３０は、化粧材１２０の端部Ｘと化粧材１９３０の端部Ｙとが芯材１５１０の角部において接合されている。
【０２４９】
図１３（ｄ）に示すように、化粧材１９３０は、化粧層１３１と、その化粧層１３１に積層される基材層１３２とを備えて構成されている。化粧材１９３０の端部Ｙには、化粧材１９３０の裏面（図１２（ｄ）下側）に、接合面形成溝１３４が凹設されている。
【０２５０】
また、化粧材１９３０の端部Ｙには、化粧材１９３０の裏面であって接合面形成溝１３４より内側（図１３（ｄ）左側）に、折曲溝１３３が連設されている。更に、化粧材１３３０の端部Ｙの縁は、化粧材１９３０の裏面（接合面形成溝１３４が形成される基材層１３２の一面）に対して直角に形成されると共に、端部Ｙの厚みは、他の領域（両端部Ｙ間の範囲）と同等とされ、化粧材１９３０の厚みが一定に構成されている。
【０２５１】
化粧材１２０の端部Ｘと化粧材１９３０の端部Ｙとを接合するにあたっては、図１３（ｅ）に示すように、まず、芯材１５１０に化粧材１９３０を貼付すると共に、化粧材１９３０の端部Ｙを折曲溝１３３の内側へ向けて折り曲げる。その後、矢印Ｄで示すように化粧材１２０の端部Ｘを化粧材１９３０の端部Ｙに被せるようにして、芯材１５１０に化粧材１２０を貼付する。
【０２５２】
これにより、図１３（ｆ）に示すように、化粧材１９３０の端部Ｙが接合面形成溝１３４の内側へ向けて折り曲げられ、傾斜面１２４に対応して傾斜する接合面１３５が形成される。そして、それら傾斜面１２４と接合面１３５とが重ね合わされて化粧材１２０の端部Ｘと化粧材１９３０の端部Ｙとが接合される。この場合、接合面形成溝１３４の内側へ向けて折り曲げられた化粧材１９３０の端部Ｙが収容溝１５１１内に収容される。
【０２５３】
また、化粧材１９３０の端部Ｙが接合面形成溝１３４の内側へ向けて折り曲げられることで接合面１３５が形成されるので、傾斜面１２４と接合面１３５との間に化粧層１３１を介して化粧材１２０の端部Ｘと化粧材１９３０の端部Ｙとが接合される。
【０２５４】
よって、第１実施の形態における化粧板１００と同様に、化粧材１２０の端部Ｘと化粧材１９３０の端部Ｙとの接合を目立たなくして、化粧板１９００の意匠性を向上させることができる。
【０２５５】
また、第１９実施の形態における化粧板１９００では、第２実施の形態における化粧板２００と同様に、端部Ｙの縁を利用して化粧材１９３０を位置決めしつつ接合面形成溝１３４を加工して、接合面形成溝１３４を精度良く加工することができる。
【０２５６】
次いで、図１３（ｇ）から（ｉ）を参照して、第２０実施の形態について説明する。第２０実施の形態における化粧板２０００は、第１７実施の形態における化粧板１７００に対し、化粧材１７３０の端部Ｙの形状が変更されている。なお、第２０実施の形態における化粧板２０００を説明するにあたって、上記各実施の形態と同一の構成については同一の符号を付して説明を省略する。
【０２５７】
図１３（ｇ）から（ｉ）は、第２０実施の形態における化粧板２０００を示す図であり、（ｇ）は化粧材２０３０の端部Ｙの拡大図を、（ｈ）は化粧材１２０の端部Ｘと化粧材２０３０の端部Ｙとを接合する様子を、（ｉ）は化粧材１２０の端部Ｘと化粧材２０３０の端部Ｙとを接合した状態を、それぞれ示す図である。
【０２５８】
第２０実施の形態における化粧板２０００は、芯材１５１０と、その芯材１５１０の外面に貼付される２枚の化粧材１２０，２０３０とを備えて構成されている。また、２枚の化粧材１２０，２０３０は、化粧材１２０の端部Ｘと化粧材２０３０の端部Ｙとが芯材１５１０の角部において接合されている。
【０２５９】
図１３（ｇ）に示すように、化粧材２０３０は、化粧層１３１と、その化粧層１３１に積層される基材層１３２とを備えて構成されている。化粧材２０３０の端部Ｙには、化粧材２０３０の裏面（図１３（ｇ）下側）に、接合面形成溝１３４が凹設されている。
【０２６０】
また、化粧材２０３０の端部Ｙには、化粧材２０３０の裏面であって接合面形成溝１３４より内側（図１３（ｇ）左側）に、４つの折曲溝１３３が連設されている。なお、折曲溝１３３の個数は４つに限られず、３つ以上であれば良い。
【０２６１】
更に、化粧材２０３０の端部Ｙの縁は、化粧材２０３０の裏面（接合面形成溝１３４が形成される基材層１３２の一面）に対して直角に形成されると共に、端部Ｙの厚みは、他の領域（両端部Ｙ間の範囲）と同等とされ、化粧材２０３０の厚みが一定に構成されている。
【０２６２】
化粧材１２０の端部Ｘと化粧材２０３０の端部Ｙとを接合するにあたっては、図１３（ｈ）に示すように、まず、芯材１５１０に化粧材２０３０を貼付すると共に、化粧材２０３０の端部Ｙを折曲溝１３３の内側へ向けて折り曲げる。その後、矢印Ｄで示すように化粧材１２０の端部Ｘを化粧材２０３０の端部Ｙに被せるようにして、芯材１５１０に化粧材１２０を貼付する。
【０２６３】
これにより、図１３（ｉ）に示すように、化粧材２０３０の端部Ｙが接合面形成溝１３４の内側へ向けて折り曲げられ、傾斜面１２４に対応して傾斜する接合面１３５が形成される。そして、それら傾斜面１２４と接合面１３５とが重ね合わされて化粧材１２０の端部Ｘと化粧材２０３０の端部Ｙとが接合される。この場合、接合面形成溝１３４の内側へ向けて折り曲げられた化粧材２０３０の端部Ｙが収容溝１５１１内に収容される。
【０２６４】
また、化粧材２０３０の端部Ｙが接合面形成溝１３４の内側へ向けて折り曲げられることで接合面１３５が形成されるので、傾斜面１２４と接合面１３５との間に化粧層１３１を介して化粧材１２０の端部Ｘと化粧材２０３０の端部Ｙとが接合される。
【０２６５】
よって、第１実施の形態における化粧板１００と同様に、化粧材１２０の端部Ｘと化粧材２０３０の端部Ｙとの接合を目立たなくして、化粧板２０００の意匠性を向上させることができる。
【０２６６】
また、第２０実施の形態における化粧板２０００では、第２実施の形態における化粧板２００と同様に、端部Ｙの縁を利用して化粧材２０３０を位置決めしつつ接合面形成溝１３４を加工して、接合面形成溝１３４を精度良く加工することができる。
【０２６７】
次いで、図１４を参照して、第２１実施の形態から第２３実施の形態について説明する。まず、図１４（ａ）から（ｃ）を参照して、第２１実施の形態について説明する。第２１実施の形態における化粧板２１００は、第９実施の形態における化粧板９００に対し、化粧材９３０の端部Ｙの形状が変更されている。なお、第２１実施の形態における化粧板２１００を説明するにあたって、上記各実施の形態と同一の構成については同一の符号を付して説明を省略する。
【０２６８】
図１４（ａ）から（ｃ）は、第２１実施の形態における化粧板２１００を示す図であり、（ａ）は化粧材２１３０の端部Ｙの拡大図を、（ｂ）は化粧材１２０の端部Ｘと化粧材２１３０の端部Ｙとを接合する様子を、（ｃ）は化粧材１２０の端部Ｘと化粧材２１３０の端部Ｙとを接合した状態を、それぞれ示す図である。
【０２６９】
第２１実施の形態における化粧板２１００は、芯材１５１０と、その芯材１５１０の外面に貼付される２枚の化粧材１２０，２１３０とを備えて構成されている。また、２枚の化粧材１２０，２１３０は、化粧材１２０の端部Ｘと化粧材２１３０の端部Ｙとが芯材１５１０の角部において接合されている。
【０２７０】
図１４（ａ）に示すように、化粧材２１３０は、化粧層１３１と、その化粧層１３１に積層される基材層１３２とを備えて構成されている。化粧材２１３０の端部Ｙには、化粧材２１３０の裏面（図１４（ａ）下側）に、接合面形成溝１３４が凹設されている。
【０２７１】
また、化粧材２１３０の端部Ｙには、化粧材２１３０の裏面であって接合面形成溝１３４より外側（図１４（ｃ）右側）に、切欠溝５３６が凹設されている。更に、化粧材２１３０の端部Ｙの縁は、化粧材２１３０の裏面（接合面形成溝１３４が形成される基材層１３２の一面）に対して直角に形成されると共に、端部Ｙの厚みは、他の領域（両端部Ｙ間の範囲）と同等とされ、化粧材２１３０の厚みが一定に構成されている。
【０２７２】
化粧材１２０の端部Ｘと化粧材２１３０の端部Ｙとを接合するにあたっては、図１４（ｂ）に示すように、まず、芯材１５１０に化粧材２１３０を貼付し、その後、矢印Ｄで示すように化粧材１２０の端部Ｘを化粧材２１３０の端部Ｙに被せるようにして、芯材１５１０に化粧材１２０を貼付する。
【０２７３】
これにより、図１４（ｃ）に示すように、化粧材２１３０の端部Ｙが接合面形成溝１３４の内側へ向けて折り曲げられ、傾斜面１２４に対応して傾斜する接合面１３５が形成される。そして、それら傾斜面１２４と接合面１３５とが重ね合わされて化粧材１２０の端部Ｘと化粧材２１３０の端部Ｙとが接合される。この場合、接合面形成溝１３４の内側へ向けて折り曲げられた化粧材２１３０の端部Ｙが切欠溝５３６により折り返され、収容溝１５１１内に収容される。
【０２７４】
また、化粧材２１３０の端部Ｙが接合面形成溝１３４の内側へ向けて折り曲げられることで接合面１３５が形成されるので、傾斜面１２４と接合面１３５との間に化粧層１３１を介して化粧材１２０の端部Ｘと化粧材２１３０の端部Ｙとが接合される。
【０２７５】
よって、第１実施の形態における化粧板１００と同様に、化粧材１２０の端部Ｘと化粧材２１３０の端部Ｙとの接合を目立たなくして、化粧板２１００の意匠性を向上させることができる。
【０２７６】
また、第２１実施の形態における化粧板２１００では、第１５実施の形態における化粧板１５００と同様に、化粧材２１３０の端部Ｙを大きく（本実施の形態のように、端部Ｙの厚みを厚く）残存させて、接合面形成溝１３４を容易に形成することができる。
【０２７７】
次いで、図１４（ｄ）（ｆ）を参照して、第２２実施の形態について説明する。第２２実施の形態における化粧板２２００は、第２１実施の形態における化粧板２１００に対し、化粧材２１３０の端部Ｙの形状が変更されている。なお、第２２実施の形態における化粧板２２００を説明するにあたって、上記各実施の形態と同一の構成については同一の符号を付して説明を省略する。
【０２７８】
図１４（ｄ）から（ｆ）は、第２２実施の形態における化粧板２２００を示す図であり、（ｄ）は化粧材２２３０の端部Ｙの拡大図を、（ｅ）は化粧材１２０の端部Ｘと化粧材２２３０の端部Ｙとを接合する様子を、（ｆ）は化粧材１２０の端部Ｘと化粧材２２３０の端部Ｙとを接合した状態を、それぞれ示す図である。
【０２７９】
第２２実施の形態における化粧板２２００は、芯材１５１０と、その芯材１５１０の外面に貼付される２枚の化粧材１２０，２２３０とを備えて構成されている。また、２枚の化粧材１２０，２２３０は、化粧材１２０の端部Ｘと化粧材２２３０の端部Ｙとが芯材１５１０の角部において接合されている。
【０２８０】
図１４（ｄ）に示すように、化粧材２２３０は、化粧層１３１と、その化粧層１３１に積層される基材層１３２とを備えて構成されている。化粧材２２３０の端部Ｙには、化粧材２２３０の裏面（図１４（ｄ）下側）に、接合面形成溝１３４が凹設されている。
【０２８１】
また、化粧材２２３０の端部Ｙには、化粧材２２３０の裏面であって接合面形成溝１３４より内側（図１４（ｄ）左側）に、折曲溝１３３が連設されると共に、接合面形成溝１３４より外側（図１４（ｄ）右側）に、切欠溝５３６が凹設されている。更に、化粧材１３３０の端部Ｙの縁は、化粧材２２３０の裏面（接合面形成溝１３４が形成される基材層１３２の一面）に対して直角に形成されると共に、端部Ｙの厚みは、他の領域（両端部Ｙ間の範囲）と同等とされ、化粧材２２３０の厚みが一定に構成されている。
【０２８２】
化粧材１２０の端部Ｘと化粧材２２３０の端部Ｙとを接合するにあたっては、図１４（ｅ）に示すように、まず、芯材１５１０に化粧材２２３０を貼付すると共に、化粧材２２３０の端部Ｙを折曲溝１３３の内側へ向けて折り曲げる。その後、矢印Ｄで示すように化粧材１２０の端部Ｘを化粧材２２３０の端部Ｙに被せるようにして、芯材１５１０に化粧材１２０を貼付する。
【０２８３】
これにより、図１４（ｆ）に示すように、化粧材２２３０の端部Ｙが接合面形成溝１３４の内側へ向けて折り曲げられ、傾斜面１２４に対応して傾斜する接合面１３５が形成される。そして、それら傾斜面１２４と接合面１３５とが重ね合わされて化粧材１２０の端部Ｘと化粧材２２３０の端部Ｙとが接合される。この場合、接合面形成溝１３４の内側へ向けて折り曲げられた化粧材２２３０の端部Ｙが切欠溝５３６により折り返され、収容溝１５１１内に収容される。
【０２８４】
また、化粧材２２３０の端部Ｙが接合面形成溝１３４の内側へ向けて折り曲げられることで接合面１３５が形成されるので、傾斜面１２４と接合面１３５との間に化粧層１３１を介して化粧材１２０の端部Ｘと化粧材２２３０の端部Ｙとが接合される。
【０２８５】
よって、第１実施の形態における化粧板１００と同様に、化粧材１２０の端部Ｘと化粧材２２３０の端部Ｙとの接合を目立たなくして、化粧板２２００の意匠性を向上させることができる。
【０２８６】
また、第２２実施の形態における化粧板２２００では、第１５実施の形態における化粧板１５００と同様に、化粧材２２３０の端部Ｙを大きく（本実施の形態のように、端部Ｙの厚みを厚く）残存させて、接合面形成溝１３４を容易に形成することができる。
【０２８７】
次いで、図１４（ｇ）から（ｉ）を参照して、第２３実施の形態について説明する。第２３実施の形態における化粧板２３００は、第２２実施の形態における化粧板２２００に対し、化粧材２２３０の端部Ｙの形状が変更されている。なお、第２３実施の形態における化粧板２３００を説明するにあたって、上記各実施の形態と同一の構成については同一の符号を付して説明を省略する。
【０２８８】
図１４（ｇ）から（ｉ）は、第２３実施の形態における化粧板２３００を示す図であり、（ｇ）は化粧材２３３０の端部Ｙの拡大図を、（ｈ）は化粧材１２０の端部Ｘと化粧材２３３０の端部Ｙとを接合する様子を、（ｉ）は化粧材１２０の端部Ｘと化粧材２３３０の端部Ｙとを接合した状態を、それぞれ示す図である。
【０２８９】
第２３実施の形態における化粧板２３００は、芯材１５１０と、その芯材１５１０の外面に貼付される２枚の化粧材１２０，２３３０とを備えて構成されている。また、２枚の化粧材１２０，２３３０は、化粧材１２０の端部Ｘと化粧材２３３０の端部Ｙとが芯材１５１０の角部において接合されている。
【０２９０】
図１４（ｇ）に示すように、化粧材２３３０は、化粧層１３１と、その化粧層１３１に積層される基材層１３２とを備えて構成されている。化粧材２３３０の端部Ｙには、化粧材２３３０の裏面（図１４（ｇ）下側）に、接合面形成溝１３４が凹設されている。
【０２９１】
また、化粧材２３３０の端部Ｙには、化粧材２３３０の裏面であって接合面形成溝１３４より内側（図１４（ｇ）左側）に、４つの折曲溝１３３が連設されると共に、接合面形成溝１３４より外側（図１４（ｇ）右側）に、切欠溝５３６が凹設されている。なお、折曲溝１３３の個数は４つに限られず、３つ以上であれば良い。
【０２９２】
更に、化粧材２３３０の端部Ｙの縁は、化粧材２３３０の裏面（接合面形成溝１３４が形成される基材層１３２の一面）に対して直角に形成されると共に、端部Ｙの厚みは、他の領域（両端部Ｙ間の範囲）と同等とされ、化粧材２３３０の厚みが一定に構成されている。
【０２９３】
化粧材１２０の端部Ｘと化粧材２３３０の端部Ｙとを接合するにあたっては、図１４（ｈ）に示すように、まず、芯材１５１０に化粧材２３３０を貼付すると共に、化粧材２３３０の端部Ｙを折曲溝１３３の内側へ向けて折り曲げる。その後、矢印Ｄで示すように化粧材１２０の端部Ｘを化粧材２３３０の端部Ｙに被せるようにして、芯材１５１０に化粧材１２０を貼付する。
【０２９４】
これにより、図１４（ｉ）に示すように、化粧材２３３０の端部Ｙが接合面形成溝１３４の内側へ向けて折り曲げられ、傾斜面１２４に対応して傾斜する接合面１３５が形成される。そして、それら傾斜面１２４と接合面１３５とが重ね合わされて化粧材１２０の端部Ｘと化粧材２３３０の端部Ｙとが接合される。この場合、接合面形成溝１３４の内側へ向けて折り曲げられた化粧材２３３０の端部Ｙが切欠溝５３６により折り返され、収容溝１５１１内に収容される。
【０２９５】
また、化粧材２３３０の端部Ｙが接合面形成溝１３４の内側へ向けて折り曲げられることで接合面１３５が形成されるので、傾斜面１２４と接合面１３５との間に化粧層１３１を介して化粧材１２０の端部Ｘと化粧材２３３０の端部Ｙとが接合される。
【０２９６】
よって、第１実施の形態における化粧板１００と同様に、化粧材１２０の端部Ｘと化粧材２３３０の端部Ｙとの接合を目立たなくして、化粧板２３００の意匠性を向上させることができる。
【０２９７】
また、第２３実施の形態における化粧板２３００では、第１５実施の形態における化粧板１５００と同様に、化粧材２３３０の端部Ｙを大きく（本実施の形態のように、端部Ｙの厚みを厚く）残存させて、接合面形成溝１３４を容易に形成することができる。
【０２９８】
次いで、図１５を参照して、第２４実施の形態から第２６実施の形態について説明する。まず、図１５（ａ）から（ｃ）を参照して、第２４実施の形態について説明する。第２４実施の形態における化粧板２４００は、第２１実施の形態における化粧板２１００に対し、化粧材２１３０の端部Ｙの形状が変更されている。なお、第２４実施の形態における化粧板２４００を説明するにあたって、上記各実施の形態と同一の構成については同一の符号を付して説明を省略する。
【０２９９】
図１５（ａ）から（ｃ）は、第２４実施の形態における化粧板２４００を示す図であり、（ａ）は化粧材２４３０の端部Ｙの拡大図を、（ｂ）は化粧材１２０の端部Ｘと化粧材２４３０の端部Ｙとを接合する様子を、（ｃ）は化粧材１２０の端部Ｘと化粧材２４３０の端部Ｙとを接合した状態を、それぞれ示す図である。
【０３００】
第２４実施の形態における化粧板２４００は、芯材１５１０と、その芯材１５１０の外面に貼付される２枚の化粧材１２０，２４３０とを備えて構成されている。また、２枚の化粧材１２０，２４３０は、化粧材１２０の端部Ｘと化粧材２４３０の端部Ｙとが芯材１５１０の角部において接合されている。
【０３０１】
図１５（ａ）に示すように、化粧材２４３０は、化粧層１３１と、その化粧層１３１に積層される基材層１３２とを備えて構成されている。化粧材２４３０の端部Ｙには、化粧材２４３０の裏面（図１５（ａ）下側）に、接合面形成溝１３４が凹設されている。
【０３０２】
また、化粧材２４３０の端部Ｙには、化粧材２４３０の裏面であって接合面形成溝１３４より外側（図１５（ａ）右側）に、切欠溝５３６が凹設されている。更に、化粧材２４３０の端部Ｙの縁は、化粧材２４３０の裏面から表面（図１５（ａ）上側）へ向かうに連れて外側（図１５（ａ）右側）へ傾斜すると共に、端部Ｙの厚みは、他の領域（両端部Ｙ間の範囲）と同等とされ、化粧材２４３０の厚みが一定に構成されている。
【０３０３】
化粧材１２０の端部Ｘと化粧材２４３０の端部Ｙとを接合するにあたっては、図１５（ｂ）に示すように、まず、芯材１５１０に化粧材２４３０を貼付し、その後、矢印Ｄで示すように化粧材１２０の端部Ｘを化粧材２４３０の端部Ｙに被せるようにして、芯材１５１０に化粧材１２０を貼付する。
【０３０４】
これにより、図１５（ｃ）に示すように、化粧材２４３０の端部Ｙが接合面形成溝１３４の内側へ向けて折り曲げられ、傾斜面１２４に対応して傾斜する接合面１３５が形成される。そして、それら傾斜面１２４と接合面１３５とが重ね合わされて化粧材１２０の端部Ｘと化粧材２４３０の端部Ｙとが接合される。この場合、接合面形成溝１３４の内側へ向けて折り曲げられた化粧材２４３０の端部Ｙが切欠溝５３６により折り返され、収容溝１５１１内に収容される。
【０３０５】
また、化粧材２４３０の端部Ｙが接合面形成溝１３４の内側へ向けて折り曲げられることで接合面１３５が形成されるので、傾斜面１２４と接合面１３５との間に化粧層１３１を介して化粧材１２０の端部Ｘと化粧材２４３０の端部Ｙとが接合される。
【０３０６】
よって、第１実施の形態における化粧板１００と同様に、化粧材１２０の端部Ｘと化粧材２４３０の端部Ｙとの接合を目立たなくして、化粧板２４００の意匠性を向上させることができる。
【０３０７】
また、第２４実施の形態における化粧板２４００では、第１５実施の形態における化粧板１５００と同様に、化粧材２４３０の端部Ｙを大きく（本実施の形態のように、端部Ｙの厚みを厚く）残存させて、接合面形成溝１３４を容易に形成することができる。
【０３０８】
次いで、図１５（ｄ）から（ｆ）を参照して、第２５実施の形態について説明する。第２５実施の形態における化粧板２５００は、第２４実施の形態における化粧板２４００に対し、化粧材２４３０の端部Ｙの形状が変更されている。なお、第２５実施の形態における化粧板２５００を説明するにあたって、上記各実施の形態と同一の構成については同一の符号を付して説明を省略する。
【０３０９】
図１５（ｄ）から（ｆ）は、第２５実施の形態における化粧板２５００を示す図であり、（ｄ）は化粧材２５３０の端部Ｙの拡大図を、（ｅ）は化粧材１２０の端部Ｘと化粧材２５３０の端部Ｙとを接合する様子を、（ｆ）は化粧材１２０の端部Ｘと化粧材２５３０の端部Ｙとを接合した状態を、それぞれ示す図である。
【０３１０】
第２５実施の形態における化粧板２５００は、芯材１５１０と、その芯材１５１０の外面に貼付される２枚の化粧材１２０，２５３０とを備えて構成されている。また、２枚の化粧材１２０，２５３０は、化粧材１２０の端部Ｘと化粧材２５３０の端部Ｙとが芯材１５１０の角部において接合されている。
【０３１１】
図１５（ｄ）に示すように、化粧材２５３０は、化粧層１３１と、その化粧層１３１に積層される基材層１３２とを備えて構成されている。化粧材２５３０の端部Ｙには、化粧材２５３０の裏面（図１５（ｄ）下側）に、接合面形成溝１３４が凹設されている。
【０３１２】
また、化粧材２５３０の端部Ｙには、化粧材２５３０の裏面であって接合面形成溝１３４より内側（図１５（ｄ）左側）に、折曲溝１３３が連設されると共に、接合面形成溝１３４より外側（図１５（ｄ）右側）に、切欠溝５３６が凹設されている。更に、化粧材２５３０の端部Ｙの縁は、化粧材２５３０の裏面から表面（図１５（ｄ）上側）へ向かうに連れて外側（図１５（ｄ）右側）へ傾斜すると共に、端部Ｙの厚みは、他の領域（両端部Ｙ間の範囲）と同等とされ、化粧材２５３０の厚みが一定に構成されている。
【０３１３】
化粧材１２０の端部Ｘと化粧材２５３０の端部Ｙとを接合するにあたっては、図１５（ｅ）に示すように、まず、芯材１５１０に化粧材２５３０を貼付すると共に、化粧材２５３０の端部Ｙを折曲溝１３３の内側へ向けて折り曲げる。その後、矢印Ｄで示すように化粧材１２０の端部Ｘを化粧材２５３０の端部Ｙに被せるようにして、芯材１５１０に化粧材１２０を貼付する。
【０３１４】
これにより、図１５（ｆ）に示すように、化粧材２５３０の端部Ｙが接合面形成溝１３４の内側へ向けて折り曲げられ、傾斜面１２４に対応して傾斜する接合面１３５が形成される。そして、それら傾斜面１２４と接合面１３５とが重ね合わされて化粧材１２０の端部Ｘと化粧材２５３０の端部Ｙとが接合される。この場合、接合面形成溝１３４の内側へ向けて折り曲げられた化粧材２５３０の端部Ｙが切欠溝５３６により折り返され、収容溝１５１１内に収容される。
【０３１５】
また、化粧材２５３０の端部Ｙが接合面形成溝１３４の内側へ向けて折り曲げられることで接合面１３５が形成されるので、傾斜面１２４と接合面１３５との間に化粧層１３１を介して化粧材１２０の端部Ｘと化粧材２５３０の端部Ｙとが接合される。
【０３１６】
よって、第１実施の形態における化粧板１００と同様に、化粧材１２０の端部Ｘと化粧材２５３０の端部Ｙとの接合を目立たなくして、化粧板２５００の意匠性を向上させることができる。
【０３１７】
また、第２５実施の形態における化粧板２５００では、第１５実施の形態における化粧板１５００と同様に、化粧材２５３０の端部Ｙを大きく（本実施の形態のように、端部Ｙの厚みを厚く）残存させて、接合面形成溝１３４を容易に形成することができる。
【０３１８】
次いで、図１５（ｇ）から（ｉ）を参照して、第２６実施の形態について説明する。第２６実施の形態における化粧板２６００は、第２５実施の形態における化粧板２５００に対し、化粧材２５３０の端部Ｙの形状が変更されている。なお、第２６実施の形態における化粧板２６００を説明するにあたって、上記各実施の形態と同一の構成については同一の符号を付して説明を省略する。
【０３１９】
図１５（ｇ）から（ｉ）は、第２６実施の形態における化粧板２６００を示す図であり、（ｇ）は化粧材２６３０の端部Ｙの拡大図を、（ｈ）は化粧材１２０の端部Ｘと化粧材２６３０の端部Ｙとを接合する様子を、（ｉ）は化粧材１２０の端部Ｘと化粧材２６３０の端部Ｙとを接合した状態を、それぞれ示す図である。
【０３２０】
第２６実施の形態における化粧板２６００は、芯材１５１０と、その芯材１５１０の外面に貼付される２枚の化粧材１２０，２６３０とを備えて構成されている。また、２枚の化粧材１２０，２６３０は、化粧材１２０の端部Ｘと化粧材２６３０の端部Ｙとが芯材１５１０の角部において接合されている。
【０３２１】
図１５（ｇ）に示すように、化粧材２６３０は、化粧層１３１と、その化粧層１３１に積層される基材層１３２とを備えて構成されている。化粧材２６３０の端部Ｙには、化粧材２６３０の裏面（図１５（ｇ）下側）に、接合面形成溝１３４が凹設されている。
【０３２２】
また、化粧材２６３０の端部Ｙには、化粧材２６３０の裏面であって接合面形成溝１３４より内側（図１５（ｇ）左側）に、４つの折曲溝１３３が連設されると共に、接合面形成溝１３４より外側（図１５（ｇ）右側）に、切欠溝５３６が凹設されている。なお、折曲溝１３３の個数は４つに限られず、３つ以上であれば良い。
【０３２３】
更に、化粧材２６３０の端部Ｙの縁は、化粧材２６３０の裏面から表面（図１５（ｇ）上側）へ向かうに連れて外側（図１５（ｇ）右側）へ傾斜すると共に、端部Ｙの厚みは、他の領域（両端部Ｙ間の範囲）と同等とされ、化粧材２６３０の厚みが一定に構成されている。
【０３２４】
化粧材１２０の端部Ｘと化粧材２６３０の端部Ｙとを接合するにあたっては、図１５（ｈ）に示すように、まず、芯材１５１０に化粧材２６３０を貼付すると共に、化粧材２６３０の端部Ｙを折曲溝１３３の内側へ向けて折り曲げる。その後、矢印Ｄで示すように化粧材１２０の端部Ｘを化粧材２６３０の端部Ｙに被せるようにして、芯材１５１０に化粧材１２０を貼付する。
【０３２５】
これにより、図１５（ｉ）に示すように、化粧材２６３０の端部Ｙが接合面形成溝１３４の内側へ向けて折り曲げられ、傾斜面１２４に対応して傾斜する接合面１３５が形成される。そして、それら傾斜面１２４と接合面１３５とが重ね合わされて化粧材１２０の端部Ｘと化粧材２６３０の端部Ｙとが接合される。この場合、接合面形成溝１３４の内側へ向けて折り曲げられた化粧材２６３０の端部Ｙが切欠溝５３６により折り返され、収容溝１５１１内に収容される。
【０３２６】
また、化粧材２６３０の端部Ｙが接合面形成溝１３４の内側へ向けて折り曲げられることで接合面１３５が形成されるので、傾斜面１２４と接合面１３５との間に化粧層１３１を介して化粧材１２０の端部Ｘと化粧材２６３０の端部Ｙとが接合される。
【０３２７】
よって、第１実施の形態における化粧板１００と同様に、化粧材１２０の端部Ｘと化粧材２６３０の端部Ｙとの接合を目立たなくして、化粧板２６００の意匠性を向上させることができる。
【０３２８】
また、第２６実施の形態における化粧板２６００では、第１５実施の形態における化粧板１５００と同様に、化粧材２６３０の端部Ｙを大きく（本実施の形態のように、端部Ｙの厚みを厚く）残存させて、接合面形成溝１３４を容易に形成することができる。
【０３２９】
以上、実施の形態に基づき本発明を説明したが、本発明は上記各実施の形態に何ら限定されるものではなく、本発明の趣旨を逸脱しない範囲内で種々の改良変更が可能であることは容易に推察できるものである。
【０３３０】
例えば、上記各実施の形態で挙げた数値は一例であり、他の数値を採用することは当然可能である。また、上記各実施の形態における構成の一部または全部を他の実施の形態における構成の一部または全部と組み合わせることは当然可能である。即ち、上記第３実施の形態における化粧材３２０の端部Ｘの形状を他の実施の形態における化粧材１２０の端部Ｘの形状としても良い。
【０３３１】
また、上記各実施の形態では、化粧板の形状が略矩形板状に構成される場合を説明したが、必ずしもこれに限られるものではなく、例えば、図１（ｃ）に示すドア１０のパネル１のように、化粧板を上面視略台形の板状に構成しても良い。
【０３３２】
また、上記各実施の形態では、芯材に２枚の化粧板が貼付されると共に、それら２枚の化粧板の端部同士が接合される場合を説明したが、必ずしもこれに限られるものではなく、例えば、芯材に１枚の化粧板を貼付し、その化粧板の一端と他端とを接合するように構成しても良く（図１６（ａ）参照）、或いは、芯材に３枚以上の化粧材を貼付し、それら３枚以上の化粧材の隣り合う化粧材の端部同士を接合するように構成しても良い。
【０３３３】
また、上記各実施の形態では、芯材の端面または角部において化粧材の端部同士が接合される場合を説明したが、必ずしもこれに限られるものではなく、例えば、芯材の表面または裏面において化粧材の端部同士を接合しても良い。
【０３３４】
このように、化粧材の端部同士の接合態様は、上記各実施の形態における接合態様に限られず、他の接合態様としても良い。ここで、図１６を参照して、他の接合態様としての一例について説明する。図１６（ａ）及び（ｂ）は、他の接合態様としての一例である化粧板２７００，２８００を示す図である。なお、図１６（ａ）及び（ｂ）は、化粧板２７００，２８００の上面図を示している。
【０３３５】
他の接合態様としては、例えば、図１６（ａ）に示す化粧板２７００のように、芯材２７１０に１枚の化粧材２７２０を貼付し、その化粧材２７２０の一端と他端とを芯材２７１０の裏面（芯材の一平面）において接合したもの、或いは、図１６（ｂ）に示す化粧板２８００のように、芯材２７１０に２枚の化粧材２７３０，２７４０を貼付し、それら２枚の化粧材２７２０，２７４０の端部同士を芯材２７１０の裏面（芯材の一平面）において接合したもの等が例示される。
【０３３６】
なお、化粧板２７００，２８００を折戸のパネルとして使用すると共に折戸の裏面（図１６（ａ）及び（ｂ）上側）において化粧材２７２０の一端と他端とを、化粧材２７２３０，２７４０の端部同士を、それぞれ接合することで、化粧材２７２０の一端と他端との接合および化粧材２７２３０，２７４０の端部同士の接合を目立たなくして、折戸の意匠性を向上させることができる。
【０３３７】
また、化粧板２８００では、化粧板２８００の裏面に貼付される化粧材２７４０の材質を化粧材２７３０の材質より低コストの材質により構成することで、折戸としての美観を損なうことなく、化粧板２８００を低コストで製造することができる。
【図面の簡単な説明】
【０３３８】
【図１】本発明の化粧板が使用される用途を示す図である。
【図２】（ａ）は、第１実施の形態における化粧板の斜視図であり、（ｂ）は、芯材の斜視図である。
【図３】（ａ）は、図２（ａ）の矢印ＩＩＩ方向視における化粧材の正面図であり、（ｂ）は、図２（ａ）の矢印ＩＩＩ方向視における化粧材の正面図である。
【図４】（ａ）は、化粧材の端部を接合する様子を示す図であり、（ｂ）は、化粧材の端部を接合した状態を示す図である。
【図５】（ａ）は、図４（ｂ）のＶで示す部分を拡大した化粧材の端部の接合部の拡大図であり、（ｂ）は、従来の化粧板における接合部の拡大図である。
【図６】第２実施の形態における化粧板を示す図であり、（ａ）は化粧材の端部を接合する様子を、（ｂ）は化粧材の端部を接合した状態を、それぞれ示している。
【図７】第３実施の形態における化粧板を示す図であり、（ａ）は化粧材の端部の拡大図を、（ｂ）は化粧材の端部を接合する様子を、（ｃ）は化粧材の端部を接合した状態を、それぞれ示している。
【図８】（ａ）及び（ｂ）は、第４実施の形態における化粧板を示す図であり、（ｃ）及び（ｄ）は、第５実施の形態における化粧板を示す図であり、（ｅ）及び（ｆ）は、第６実施の形態における化粧板を示す図であり、（ｇ）及び（ｈ）は、第７実施の形態における化粧板を示す図であり、（ｉ）及び（ｊ）は、第８実施の形態における化粧板を示す図である。
【図９】（ａ）は、第９実施の形態における化粧板の斜視図であり、（ｂ）は、図９（ａ）の矢印ＩＸ方向視における化粧材の正面図である。また、（ｃ）は、化粧材の端部を接合する様子を示す図であり、（ｄ）は、化粧材の端部を接合した状態を示す図である。
【図１０】（ａ）から（ｃ）は、第１０実施の形態における化粧板を示す図であり、（ｄ）から（ｆ）は、第１１実施の形態における化粧板を示す図である。
【図１１】（ａ）から（ｃ）は、第１２実施の形態における化粧板を示す図であり、（ｄ）から（ｆ）は、第１３実施の形態における化粧板を示す図であり、（ｇ）から（ｉ）は、第１４実施の形態における化粧板を示す図である。
【図１２】（ａ）から（ｃ）は、第１５実施の形態における化粧板を示す図であり、（ｄ）から（ｆ）は、第１６実施の形態における化粧板を示す図であり、（ｇ）から（ｉ）は、第１７実施の形態における化粧板を示す図である。
【図１３】（ａ）から（ｃ）は、第１８実施の形態における化粧板を示す図であり、（ｄ）から（ｆ）は、第１９実施の形態における化粧板を示す図であり、（ｇ）から（ｉ）は、第２０実施の形態における化粧板を示す図である。
【図１４】（ａ）から（ｃ）は、第２１実施の形態における化粧板を示す図であり、（ｄ）から（ｆ）は、第２２実施の形態における化粧板を示す図であり、（ｇ）から（ｉ）は、第２３実施の形態における化粧板を示す図である。
【図１５】（ａ）から（ｃ）は、第２４実施の形態における化粧板を示す図であり、（ｄ）から（ｆ）は、第２５実施の形態における化粧板を示す図であり、（ｇ）から（ｉ）は、第２６実施の形態における化粧板を示す図である。
【図１６】（ａ）及び（ｂ）は、他の接合態様としての一例である化粧板を示す図である。
【符号の説明】
【０３３９】
１                                    パネル
２                                    外板
３                                    棚板
１０                                  ドア
２０                                  箱物家具
１１０，４１０，１５１０，２７１０    芯材
１２１，１３１                        化粧層
１２２，１３２                        基材層
１２４，３２６                        傾斜面
１３４，７３４                        接合面形成溝
１３５                                接合面
３２５                                傾斜面形成溝
４１１，１５１１                      収容溝
Ｘ                                    端部（端部の一方）
Ｙ                                    端部（端部の他方）
１００，２００，３００，４００，５００，６００，７００，８００，９００，１０００，１１００，１２００，１３００，１４００，１５００，１６００，１７００，１８００，１９００，２０００，２１００，２２００，２３００，２４００，２５００，２６００，２７００，２８００    化粧板
１２０，１３０，２３０，３２０，４３０，５３０，６３０，７３０，８３０，９３０，１０３０，１１３０，１２３０，１３３０，１４３０，１５３０，１６３０，１７３０，１８３０，１９３０，２０３０，２１３０，２２３０，２３３０，２４３０，２５３０，２６３０，２７２０，２７３０，２７４０    化粧材
【図１】
2010007433.tif 000003
【図２】
2010007433.tif 000004
【図３】
2010007433.tif 000005
【図４】
2010007433.tif 000006
【図５】
2010007433.tif 000007
【図６】
2010007433.tif 000008
【図７】
2010007433.tif 000009
【図８】
2010007433.tif 000010
【図９】
2010007433.tif 000011
【図１０】
2010007433.tif 000012
【図１１】
2010007433.tif 000013
【図１２】
2010007433.tif 000014
【図１３】
2010007433.tif 000015
【図１４】
2010007433.tif 000016
【図１５】
2010007433.tif 000017
【図１６】
2010007433.tif 000018